(57)【要約】【課題】電力消費を低減しつつ、受信間隔が長くなることを抑制できる電波受信装置、電子機器、および電波受信方法を提供すること。【解決手段】電波受信装置は、ＧＰＳ受信回路１２１と、電波受信装置が衛星信号を受信するのに適した環境にあるかを検出する環境検出回路（充電状態検出回路４３および電圧検出回路４４）と、制御回路２００とを備える。制御回路２００は、環境検出回路の検出結果に基づいて、電波受信装置が衛星信号を受信するのに適した環境にあると判断した場合には、ＧＰＳ受信回路１２１を作動させる第１受信制御部と、定時受信時刻にＧＰＳ受信回路１２１を作動させる第２受信制御部と、第１受信制御部および第２受信制御部を切り替えて作動させる切り替え部と、を備える。【選択図】図４
2015210117.tif 000002
【特許請求の範囲】
【請求項１】
電波を受信する電波受信装置であって、
前記電波を受信する受信回路と、
前記電波受信装置が前記電波を受信するのに適した環境にあるかを検出する環境検出回路と、
前記受信回路および前記環境検出回路を制御する制御回路と、を備え、
前記制御回路は、
前記環境検出回路の検出結果に基づいて、前記電波受信装置が前記電波を受信するのに適した環境にあると判断した場合に、前記受信回路を作動させる第１受信制御部と、
予め設定された定時受信時刻に前記受信回路を作動させる第２受信制御部と、
前記第１受信制御部および前記第２受信制御部を切り替えて作動させる切り替え部と、を備える
ことを特徴とする電波受信装置。
【請求項２】
請求項１に記載の電波受信装置において、
入力装置を備え、
前記切り替え部は、前記入力装置に対する入力操作に応じて、前記第１受信制御部および前記第２受信制御部を切り替えて作動させる
ことを特徴とする電波受信装置。
【請求項３】
請求項１または請求項２に記載の電波受信装置において、
前記切り替え部は、前記受信回路による受信の履歴である受信履歴に基づいて、前記第１受信制御部および前記第２受信制御部を切り替えて作動させる
ことを特徴とする電波受信装置。
【請求項４】
請求項１から請求項３のいずれか１項に記載の電波受信装置において、
前記第１受信制御部は、前記電波受信装置が前記電波を受信するのに適した環境にないと判断した状態が所定時間以上の間継続した場合には、前記定時受信時刻に前記受信回路を作動させる
ことを特徴とする電波受信装置。
【請求項５】
請求項１から請求項４のいずれか１項に記載の電波受信装置において、
前記第１受信制御部は、前記電波受信装置が前記電波を受信するのに適した環境にないと判断した状態が所定時間以上の間継続した場合には、前記環境検出回路の作動を停止して、前記定時受信時刻に前記受信回路を作動させる
ことを特徴とする電波受信装置。
【請求項６】
請求項１から請求項５のいずれか１項に記載の電波受信装置において、
前記第１受信制御部は、前記受信回路を作動させた場合には、前記電波受信装置が前記電波を受信するのに適した環境にないと判断した状態が所定時間以上の間継続しても前記定時受信時刻に前記受信回路を作動させずに、前記電波受信装置が前記電波を受信するのに適した環境にあると判断した場合に前記受信回路を作動させる
ことを特徴とする電波受信装置。
【請求項７】
請求項１から請求項６のいずれか１項に記載の電波受信装置において、
前記第１受信制御部は、前記電波受信装置が前記電波を受信するのに適した環境にあると判断した場合に行った前記電波の受信の成功時刻を、前記定時受信時刻として設定する
ことを特徴とする電波受信装置。
【請求項８】
請求項１から請求項７のいずれか１項に記載の電波受信装置において、
前記第１受信制御部および第２受信制御部は、
強制受信が指示された場合に、前記受信回路を作動し、
強制受信の指示に基づいて行った前記電波の受信の成功時刻を、前記定時受信時刻として設定する
ことを特徴とする電波受信装置。
【請求項９】
請求項７または請求項８に記載の電波受信装置において、
記憶部を備え、
前記第１受信制御部および前記第２受信制御部は、
前記成功時刻を前記記憶部に記憶させ、
前記成功時刻が複数存在する場合には、受信の成功回数が最も多い前記成功時刻を前記定時受信時刻として設定する
ことを特徴とする電波受信装置。
【請求項１０】
請求項９に記載の電波受信装置において、
前記第１受信制御部および前記第２受信制御部は、前記定時受信時刻に行った前記電波の受信が失敗した場合には、当該定時受信時刻として設定されていた成功時刻以外の前記成功時刻のうち、前記成功回数が最も多い前記成功時刻を前記定時受信時刻として設定し、前記定時受信時刻に行った前記電波の受信が成功した場合には、前記定時受信時刻を変更しない
ことを特徴とする電波受信装置。
【請求項１１】
請求項７から請求項１０のいずれか１項に記載の電波受信装置において、
前記第１受信制御部および前記第２受信制御部は、前記成功時刻が一定時間間隔で設定された複数の時間帯のうちいずれの時間帯に含まれるかを判定して、前記成功時刻が含まれる時間帯の特定時刻を前記定時受信時刻として設定する
ことを特徴とする電波受信装置。
【請求項１２】
請求項１から請求項１１のいずれか１項に記載の電波受信装置において、
前記第１受信制御部は、
予め設定された制御開始時刻に前記受信回路および前記環境検出回路の制御を開始し、
次回の前記制御開始時刻までの間に前記受信回路を作動させなかった場合には、当該次回の制御開始時刻に制御を開始し、前記受信回路を作動させた場合には、当該次回の制御開始時刻から予め設定された設定時間経過後の制御開始時刻に制御を開始する
ことを特徴とする電波受信装置。
【請求項１３】
請求項１から請求項１２のいずれか１項に記載の電波受信装置において、
ソーラーセルと、
前記ソーラーセルに入射する光の照度の検出処理を行う照度検出回路と、
記憶部と、を備え、
前記制御回路は、
所定時間間隔で前記照度検出回路を作動させ、
前記照度検出回路で検出された照度および当該照度の検出時刻を前記記憶部に記憶させ、
所定期間における前記照度が最も高い前記検出時刻を前記定時受信時刻として設定する
ことを特徴とする電波受信装置。
【請求項１４】
請求項１３に記載の電波受信装置において、
前記制御回路は、前記照度が最も高い前記検出時刻が複数存在する場合には、当該照度が検出された回数が最も多い前記検出時刻を前記定時受信時刻として設定する
ことを特徴とする電波受信装置。
【請求項１５】
請求項１から請求項１２のいずれか１項に記載の電波受信装置において、
ソーラーセルと、
前記ソーラーセルに入射する光の照度の検出処理を行う照度検出回路と、
記憶部と、を備え、
前記制御回路は、
所定時間間隔で前記照度検出回路を作動し、
前記照度検出回路で検出された照度が予め設定された第１閾値以上の場合には、前記照度の検出時刻を前記記憶部に記憶させ、
前記記憶部に記憶させた前記検出時刻を前記定時受信時刻として設定する
ことを特徴とする電波受信装置。
【請求項１６】
請求項１５に記載の電波受信装置において、
前記制御回路は、前記検出時刻が複数存在する場合には、前記照度が検出された回数が最も多い前記検出時刻を前記定時受信時刻として設定する
ことを特徴とする電波受信装置。
【請求項１７】
請求項１３から請求項１６のいずれか１項に記載の電波受信装置において、
前記制御回路は、前記検出時刻が一定時間間隔で設定された複数の時間帯のうちいずれの時間帯に含まれるかを判定して、前記検出時刻が含まれる時間帯の特定時刻を前記記憶部に記憶させる
ことを特徴とする電波受信装置。
【請求項１８】
請求項１から請求項１７のいずれか１項に記載の電波受信装置において、
ソーラーセルを備え、
前記環境検出回路は、前記電波受信装置が前記電波を受信するのに適した環境にあるかの検出処理として、前記ソーラーセルに入射する光の照度の検出処理を行う照度検出回路であり、
前記第１受信制御部は、前記照度検出回路で検出された照度が予め設定された第２閾値以上の場合には、前記電波受信装置が前記電波を受信するのに適した環境にあると判断し、前記第２閾値未満の場合には、前記電波を受信するのに適した環境にないと判断する
ことを特徴とする電波受信装置。
【請求項１９】
請求項１から請求項１８のいずれか１項に記載の電波受信装置において、
前記電波は、衛星信号である
ことを特徴とする電波受信装置。
【請求項２０】
請求項１から請求項１９のいずれか１項に記載の電波受信装置を備える
ことを特徴とする電子機器。
【請求項２１】
電波を受信する電波受信装置の電波受信方法であって、
前記電波受信装置が前記電波を受信するのに適した環境にあると判断した場合に、前記電波を受信する第１受信制御ステップと、
予め設定された定時受信時刻に前記電波を受信する第２受信制御ステップと、
前記第１受信制御ステップおよび第２受信制御ステップを切り替えて実行させる切り替えステップと、を備える
ことを特徴とする電波受信方法。
【発明の詳細な説明】
【技術分野】
【０００１】
本発明は、電波を受信する電波受信装置、電子機器、および電波受信方法に関する。
【背景技術】
【０００２】
衛星信号等の電波を受信する電波受信装置であって、電波受信装置が屋外に配置されているか否かを判断し、屋外に配置されていると判断した場合に電波を受信する電波受信装置が知られている（例えば、特許文献１参照）。
特許文献１の腕時計は、ソーラーパネルを備え、ソーラーパネルの発電量に基づいて、腕時計が屋外に配置されているか否かを判断している。そして、腕時計が屋外に配置されていると判断した場合には、衛星信号を受信し、腕時計が屋外に配置されていないと判断した屋内配置状態が、予め設定された所定時間以上の間継続した場合には、予め設定された定時受信時刻に衛星信号を受信する。
これにより、腕時計が衛星信号の受信に失敗する可能性が高い屋内に配置されている場合は、この状態が所定時間以上の間継続した場合を除いて、衛星信号の受信が行われないので、無駄な電力消費を抑制できる。一方、腕時計が屋外に配置されているにもかかわらず、腕時計が袖に隠れていることや、季節や天候の影響により腕時計に当たる光が弱く、屋外であると判断できない場合であっても、この状態が所定時間以上の間継続したときには、予め設定された定時受信時刻に衛星信号の受信が行われる。
【先行技術文献】
【特許文献】
【０００３】
【特許文献１】特開２０１３−５０３４３号公報
【発明の概要】
【発明が解決しようとする課題】
【０００４】
しかしながら、特許文献１の腕時計では、例えば、腕時計を装着したユーザが、光が当たる場所に短時間だけ居て、その後、屋内等に移動するような場合は、腕時計が屋外に配置されていると判断されて受信が開始されるが、途中で受信ができなくなってしまうため、電波を正しく受信できない。このため、無駄に電力を消費してしまうという問題があった。
また、腕時計に光が当たらなければ屋外に配置されていると判断されないため、例えば、腕時計が夜間にだけ使用される場合は、所定時間内に屋外に配置されていると判断される可能性は低い。ここで、所定時間は、２４時間であり、定時受信時刻の受信は、１日に１回だけ行われる。このため、腕時計が夜間にだけ使用される場合は、次回の受信は、次に迎える定時受信時刻ではなく、所定時間（２４時間）経過した時点より後に迎える、さらに次の定時受信時刻に行われる可能性が高い。このため、腕時計が夜間を中心に使用される場合は、受信間隔の平均値が定時受信時刻の間隔よりも長くなるという問題があった。
【０００５】
本発明の目的は、電力消費を低減しつつ、受信間隔が長くなることを抑制できる電波受信装置、電子機器、および電波受信方法を提供することにある。
【課題を解決するための手段】
【０００６】
本発明は、電波を受信する電波受信装置であって、前記電波を受信する受信回路と、前記電波受信装置が前記電波を受信するのに適した環境にあるかを検出する環境検出回路と、前記受信回路および前記環境検出回路を制御する制御回路と、を備え、前記制御回路は、前記環境検出回路の検出結果に基づいて、前記電波受信装置が前記電波を受信するのに適した環境にあると判断した場合に、前記受信回路を作動させる第１受信制御部と、予め設定された定時受信時刻に前記受信回路を作動させる第２受信制御部と、前記第１受信制御部および前記第２受信制御部を切り替えて作動させる切り替え部と、を備えることを特徴とする。
【０００７】
ここで、電波受信装置は、例えば、ソーラーセルを備えた腕時計であり、環境検出回路は、ソーラーセルの発電量に基づいて、電波受信装置が電波を受信するのに適した環境にあるかを判断している。
本発明では、制御回路が、第１受信制御部および第２受信制御部を切り替えて作動させる切り替え部を備えているため、例えば電波受信装置の使用状況に応じて、第１受信制御部および第２受信制御部を切り替えて作動させることができる。すなわち、第１受信制御部および第２受信制御部の一方のみを作動させることができる。
第１受信制御部が作動すると、電波受信装置が屋外等の電波を受信するのに適した環境にある場合に受信が行われるため、受信に成功しやすい。また、電波受信装置が電波を受信するのに適した環境になく、受信に失敗する可能性が高い場合は受信が行われないので、無駄な電力消費を抑制できる。
また、第２受信制御部が作動すると、定時受信時刻にだけ受信が行われる。このため、電波受信装置を装着したユーザが、光が当たる場所に短時間だけ居て、その後、屋内等に移動するような場合に、受信が開始されることがないため、無駄な電力消費を抑制できる。また、電波受信装置が夜間を中心に使用される場合でも、定時受信時刻毎に受信が行われるため、受信間隔の平均値が定時受信時刻の間隔よりも長くなることを防止できる。
このため、例えば電波受信装置の使用状況に応じて、第１受信制御部および第２受信制御部を切り替えて作動させることで、受信に成功しやすくでき、電力消費を低減でき、受信間隔の平均値が定時受信時刻の間隔よりも長くなることを防止できる。
【０００８】
本発明の電波受信装置において、入力装置を備え、前記切り替え部は、前記入力装置に対する入力操作に応じて、前記第１受信制御部および前記第２受信制御部を切り替えて作動させることが好ましい。
【０００９】
本発明によれば、ユーザは、入力装置を操作することで、自身の行動に合わせて、最適なタイミングで第１受信制御部および第２受信制御部を切り替えて作動させることができる。
【００１０】
本発明の電波受信装置において、前記切り替え部は、前記受信回路による受信の履歴である受信履歴に基づいて、前記第１受信制御部および前記第２受信制御部を切り替えて作動させることが好ましい。
【００１１】
電波受信装置が例えば腕時計の場合、習慣的に使用されることが多い。このため、過去の受信において、例えば、電波受信装置が屋外等の電波を受信するのに適した環境にあると判断されて行われた受信（環境判定受信）の成功率が比較的高ければ、第１受信制御部が作動した場合に、環境判定受信に成功する可能性が高く、無駄に電力が消費される可能性は低いと予想できる。また、環境判定受信の頻度が比較的高ければ、第１受信制御部が作動した場合、所定時間内に環境判定受信が行われる可能性が高く、受信間隔の平均値が定時受信時刻の間隔よりも長くなる可能性は低いと予想できる。
従って、切り替え部が、受信履歴を参照し、環境判定受信の成功率および頻度が比較的高ければ第１受信制御部を作動させ、その他の場合は、第２受信制御部を作動させることで、第１受信制御部および第２受信制御部を適切なタイミング切り替えて作動させることができる。また、ユーザが入力装置を操作することなく、自動的に、第１受信制御部および第２受信制御部を切り替えて作動させることができるため、使いやすさを向上できる。
【００１２】
本発明の電波受信装置において、前記第１受信制御部は、前記電波受信装置が前記電波を受信するのに適した環境にないと判断した状態が所定時間以上の間継続した場合には、前記定時受信時刻に前記受信回路を作動させることが好ましい。
【００１３】
本発明によれば、第１受信制御部が作動すると、電波受信装置が屋外等の電波を受信するのに適した環境にあるにもかかわらず、電波受信装置に当たる光が弱く、電波を受信するのに適した環境にあると判断できない場合であっても、この状態が所定時間以上の間継続したときには、定時受信時刻に電波の受信が行われる。
【００１４】
本発明の電波受信装置において、前記第１受信制御部は、前記電波受信装置が前記電波を受信するのに適した環境にないと判断した状態が所定時間以上の間継続した場合には、前記環境検出回路の作動を停止して、前記定時受信時刻に前記受信回路を作動させることが好ましい。
【００１５】
ここで、電波受信装置が電波を受信するのに適した環境にないと判断した状態が所定時間以上の間継続する場合、ユーザが冬季にコートを着用しており、腕時計が毎日常に袖に隠れている場合などがある。このような場合に、環境検出回路を作動しても、屋外等の電波を受信するのに適した環境にあることが検出される可能性は低く、無駄な電力を消費してしまう。
本発明によれば、電波を受信するのに適した環境にないと判断した配置状態が所定時間以上継続した場合には、環境検出回路を作動させずに、定時受信時刻になった場合にのみ受信を行うため、無駄な電力消費を抑制できる。
【００１６】
本発明の電波受信装置において、前記第１受信制御部は、前記受信回路を作動させた場合には、前記電波受信装置が前記電波を受信するのに適した環境にないと判断した状態が所定時間以上の間継続しても前記定時受信時刻に前記受信回路を作動させずに、前記電波受信装置が前記電波を受信するのに適した環境にあると判断した場合に前記受信回路を作動させることが好ましい。
【００１７】
ここで、定時受信時刻に受信を行う場合には、配置環境を一切考慮に入れないが、定時受信時刻を適切に設定することにより、受信が成功する確率を高めることは可能である。しかしながら、環境検出回路での検出結果に基づき受信を行う方が成功の確率の高い受信ができる。
本発明によれば、電波の受信を行った後には、定時受信時刻に行う受信よりも成功の可能性が高い環境検出回路での検出結果に基づき受信を行うため、定時受信と環境検出回路での検出結果に基づく受信とを両方行う場合と比べて、無駄な電力を消費することなく電波を受信できる。
【００１８】
本発明の電波受信装置において、前記第１受信制御部は、前記電波受信装置が前記電波を受信するのに適した環境にあると判断した場合に行った前記電波の受信の成功時刻を、前記定時受信時刻として設定することが好ましい。
【００１９】
ここで、電波受信装置のユーザの毎日の生活パターンは、ほぼ同じと考えられ、配置環境の検出結果にも反映されると考えられる。
本発明によれば、屋外等の電波を受信するのに適した環境に配置されていると判断した場合に行った受信の成功時刻に受信を行うことで、受信の成功確率を高めることができる。
【００２０】
本発明の電波受信装置において、前記第１受信制御部および第２受信制御部は、強制受信が指示された場合に、前記受信回路を作動し、強制受信の指示に基づいて行った前記電波の受信の成功時刻を、前記定時受信時刻として設定することが好ましい。
【００２１】
ここで、電波の受信は屋外で受信すると成功する可能性が高い。ユーザが入力装置を操作して手動で強制受信を指示した時刻には、ユーザが屋外にいる可能性が高いと考えられる。上述したように、ユーザの毎日の生活パターンが同じであると仮定すると、例えば会社に通勤する途中の屋外で手動で強制受信したとすると、その強制受信した時刻には屋外にいる可能性が高い。
本発明によれば、強制受信が指示された時刻に受信を行うことで、受信の成功確率を高めることができる。
【００２２】
本発明の電波受信装置において、記憶部を備え、前記第１受信制御部および前記第２受信制御部は、前記成功時刻を前記記憶部に記憶させ、前記成功時刻が複数存在する場合には、受信の成功回数が最も多い前記成功時刻を前記定時受信時刻として設定することが好ましい。
【００２３】
ここで、受信が成功した時刻には、ユーザが屋外にいる可能性が高いと考えられる。
本発明によれば、過去における受信が成功した時刻のうち、成功回数が最も多い時刻に受信を行うことで、ユーザが屋外にいる可能性が高いタイミングで受信を行うことができ、受信の成功確率を高めることができる。
【００２４】
本発明の電波受信装置において、前記第１受信制御部および前記第２受信制御部は、前記定時受信時刻に行った前記電波の受信が失敗した場合には、当該定時受信時刻として設定されていた成功時刻以外の前記成功時刻のうち、前記成功回数が最も多い前記成功時刻を前記定時受信時刻として設定し、前記定時受信時刻に行った前記電波の受信が成功した場合には、前記定時受信時刻を変更しないことが好ましい。
【００２５】
本発明によれば、成功回数が最も多い定時受信時刻に受信を失敗した場合には、当該定時受信時刻として設定されていた成功時刻以外の成功時刻のうち、成功回数が最も多い成功時刻を定時受信時刻として設定するため、ユーザの生活パターンが変わった場合でも、次回の受信の成功確率を高めることができる。
【００２６】
本発明の電波受信装置では、前記第１受信制御部および前記第２受信制御部は、前記成功時刻が一定時間間隔で設定された複数の時間帯のうちいずれの時間帯に含まれるかを判定して、前記成功時刻が含まれる時間帯の特定時刻を前記定時受信時刻として設定することが好ましい。
【００２７】
本発明によれば、成功時刻をそのまま定時受信時刻として設定せずに、当該成功時刻が含まれる時間帯の特定時刻を定時受信時刻として設定するため、定時受信時刻の管理数を少なくできる。また、ユーザが定時受信時刻を把握しやすくなる。
【００２８】
本発明の電波受信装置において、前記第１受信制御部は、予め設定された制御開始時刻に前記受信回路および前記環境検出回路の制御を開始し、次回の前記制御開始時刻までの間に前記受信回路を作動させなかった場合には、当該次回の制御開始時刻に制御を開始し、前記受信回路を作動させた場合には、当該次回の制御開始時刻から予め設定された設定時間経過後の制御開始時刻に制御を開始することが好ましい。
【００２９】
本発明によれば、受信を行ったことにより電池の電力の残量が少なくなった場合には、次回の制御開始時刻から予め設定された設定時間の間は受信を行わないため、例えば、ソーラーセルで変換された電気エネルギーで電池を充電する電子機器に電波受信装置を適用した場合には、当該受信を行わない時間に充電することができ、受信中に電力が無くなってしまうという不具合を抑制できる。また、受信を行わなかったために電力の残量が多い場合には、次回の制御開始時刻に受信を行うため、迅速なタイミングで電波を受信できる。
【００３０】
本発明の電波受信装置において、ソーラーセルと、前記ソーラーセルに入射する光の照度の検出処理を行う照度検出回路と、記憶部と、を備え、前記制御回路は、所定時間間隔で前記照度検出回路を作動させ、前記照度検出回路で検出された照度および当該照度の検出時刻を前記記憶部に記憶させ、所定期間における前記照度が最も高い前記検出時刻を前記定時受信時刻として設定することが好ましい。
【００３１】
ここで、照度が高いほど、電波受信装置の周囲は、建物などの電波を遮るものが少ない環境であると考えられる。
本発明によれば、電波を遮るものが少ない環境に電波受信装置が配置されている時刻に受信を行うことで、受信の成功確率を高めることができる。
【００３２】
本発明の電波受信装置において、前記制御回路は、前記照度が最も高い前記検出時刻が複数存在する場合には、当該照度が検出された回数が最も多い前記検出時刻を前記定時受信時刻として設定することが好ましい。
【００３３】
本発明によれば、過去における照度が高い検出時刻のうち、検出回数が最も多い検出時刻に受信を行うことで、ユーザが屋外にいる可能性が高いタイミングで受信を行うことができ、受信の成功確率を高めることができる。
【００３４】
本発明の電波受信装置において、ソーラーセルと、前記ソーラーセルに入射する光の照度の検出処理を行う照度検出回路と、記憶部と、を備え、前記制御回路は、所定時間間隔で前記照度検出回路を作動し、前記照度検出回路で検出された照度が予め設定された第１閾値以上の場合には、前記照度の検出時刻を前記記憶部に記憶させ、前記記憶部に記憶させた前記検出時刻を前記定時受信時刻として設定することが好ましい。
【００３５】
本発明によれば、過去において照度が第１閾値以上であった検出時刻を選んで受信を行うことで、受信の成功確率を高めることができる。また、ユーザが屋外等の電波を受信するのに適した環境にいることを検出できるような値に第１閾値を設定することで、ユーザが電波を受信するのに適した環境にいるタイミングで定時受信を行うことができる。
【００３６】
本発明の電波受信装置において、前記制御回路は、前記検出時刻が複数存在する場合には、前記照度が検出された回数が最も多い前記検出時刻を前記定時受信時刻として設定することが好ましい。
【００３７】
本発明によれば、過去における照度が第１閾値以上の時刻が複数存在する場合でも、検出回数が最も多い時刻に定時受信を行うことで、ユーザが屋外にいる可能性が高いタイミングで受信を行うことができ、受信の成功確率を高めることができる。
【００３８】
本発明の電波受信装置では、前記制御回路は、前記検出時刻が一定時間間隔で設定された複数の時間帯のうちいずれの時間帯に含まれるかを判定して、前記検出時刻が含まれる時間帯の特定時刻を前記記憶部に記憶させることが好ましい。
【００３９】
本発明によれば、照度の検出時刻をそのまま記憶させずに、当該検出時刻が含まれる時間帯の特定時刻を検出時刻として記憶させるため、定時受信時刻の管理数を少なくできるとともに、記憶部の記憶容量を最小限に抑えることができる。また、ユーザが定時受信時刻を把握しやすくなる。
【００４０】
本発明の電波受信装置において、ソーラーセルを備え、前記環境検出回路は、前記電波受信装置が前記電波を受信するのに適した環境にあるかの検出処理として、前記ソーラーセルに入射する光の照度の検出処理を行う照度検出回路であり、前記第１受信制御部は、前記照度検出回路で検出された照度が予め設定された第２閾値以上の場合には、前記電波受信装置が前記電波を受信するのに適した環境にあると判断し、前記第２閾値未満の場合には、前記電波を受信するのに適した環境にないと判断することが好ましい。
【００４１】
ここで、昼間であれば、照度は、室内光と太陽光とでは大きく異なる。
本発明によれば、ソーラーセルに入射する光の照度に基づいて、屋外等の電波を受信するのに適した環境にあるかを判断するため、昼間であれば屋外と屋内とを適切に区別でき、受信の成功確率を高めることができる。
【００４２】
本発明の電波受信装置において、前記電波は、衛星信号であることが好ましい。
本発明によれば、電波受信装置は、受信回路で衛星信号を受信し、受信した衛星信号から時刻情報や、衛星の軌道情報等を含む測位計算用情報を取得できる。
【００４３】
本発明の電子機器は、前記電波受信装置を備えることを特徴とする。
本発明によれば、前記電波受信装置と同様の作用効果を奏することができる。
【００４４】
本発明は、電波を受信する電波受信装置の電波受信方法であって、前記電波受信装置が前記電波を受信するのに適した環境にあると判断した場合に、前記電波を受信する第１受信制御ステップと、予め設定された定時受信時刻に前記電波を受信する第２受信制御ステップと、前記第１受信制御ステップおよび第２受信制御ステップを切り替えて実行させる切り替えステップと、を備えることを特徴とする。
本発明によれば、前記電波受信装置と同様の作用効果を奏することができる。
【図面の簡単な説明】
【００４５】
【図１】電子機器を含むＧＰＳの概略構成を示す図である。
【図２】電子機器の平面図である。
【図３】電子機器の概略断面図である。
【図４】電子機器の回路構成を示すブロック図である。
【図５】制御回路の構成を示すブロック図である。
【図６】第１実施形態における切り替え部による切り替え処理を示すフローチャートである。
【図７】第１実施形態における第１受信制御部での衛星信号の受信処理を示すフローチャートである。
【図８】充電状態検出および開放電圧検出の作動タイミングを説明する図である。
【図９】電子機器のソーラーセルに入射する光の照度とソーラーセルの開放電圧との関係を示すグラフである。
【図１０】各照度検出レベルにおけるソーラーセルでの開放電圧およびソーラーセルに入射する光の照度との関係を示す図である。
【図１１】第２実施形態における第１受信制御部での衛星信号の受信処理を示すフローチャートである。
【図１２】第３実施形態における第１受信制御部での衛星信号の受信処理を示すフローチャートである。
【図１３】第４実施形態における制御回路での照度検出レベルの記憶処理を示すフローチャートである。
【図１４】前記第４実施形態における定時受信時刻の設定に用いる各照度検出レベルでの検出時刻および検出回数の関係を示す図である。
【図１５】前記第４実施形態および第５実施形態における第１受信制御部での衛星信号の受信処理を示すフローチャートである。
【図１６】前記第５実施形態における制御回路での検出時刻の記憶処理を示すフローチャートである。
【図１７】前記第５実施形態における定時受信の設定に用いる各検出時刻での検出回数を示す図である。
【図１８】第６実施形態における切り替え部による切り替え処理を示すフローチャートである。
【図１９】第１変形例における定時受信時刻の設定に用いる受信成功時刻を示す図である。
【図２０】第２変形例における定時受信時刻の設定に用いる各時間帯での受信実施回数および受信成功回数の関係を示す図である。
【図２１】第３変形例における定時受信時刻の設定に用いる各曜日での受信成功回数の関係を示す図である。
【発明を実施するための形態】
【００４６】
以下、本発明の具体的な実施形態を図面に基づいて説明する。
［第１実施形態］
［電子機器を含むＧＰＳの概略構成］
図１は、第１実施形態に係る電子機器１００を含むＧＰＳの概略構成を示す図である。まず、電子機器１００が、外部信号としての電波を用いて、現在地の位置情報と、時刻情報とを求めるＧＰＳの概要を説明する。
【００４７】
電子機器１００は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号（ＧＰＳ信号）という。衛星信号は、右旋偏波の円偏波である。
【００４８】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００４９】
ＧＰＳ衛星８は原子時計を搭載しており、衛星信号には原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子機器１００は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００５０】
衛星信号にはＧＰＳ衛星８の軌道上の位置を示す軌道情報も含まれている。電子機器１００は、ＧＰＳ時刻情報と軌道情報とを使用して測位計算を行うことができる。測位計算は、電子機器１００の内部時刻にある程度の誤差が含まれていることを前提として行われる。
すなわち、電子機器１００の三次元の位置を特定するためのｘ，ｙ，ｚパラメーターに加えて時刻誤差も未知数になる。そのため、電子機器１００は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００５１】
［電子機器の概略構成］
図２は、電子機器１００を表面側から見た平面図であり、図３は、電子機器１００の概略を示す部分断面図である。本実施形態の電子機器１００は、クロノグラフ機能を備えている。
【００５２】
電子機器１００は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング３６を介して、円盤状の文字板１１が時刻表示部分として配置されている。
【００５３】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０およびカレンダー小窓１５などは、カバーガラス３３を透して、視認可能となっている。
また、文字板１１の裏面側にはカレンダー車（日車）１６が配置され、このカレンダー車１６はカレンダー小窓１５から視認可能となっている。
【００５４】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリューズ６５とが、設けられている。これらのＡボタン６１、Ｂボタン６２、Ｃボタン６３、Ｄボタン６４およびリューズ６５が操作されることにより、操作に応じた操作信号が出力される。
【００５５】
電子機器１００は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング３６と、光透過性の文字板１１と、文字板１１を貫通した指針軸２５と、指針軸２５を中心に周回する指針２１，２２，２３と、各指針２１，２２，２３と、図３では図示しない指針７１，８１，９１およびカレンダー車１６とを駆動する駆動機構１４０などが備えられている。
指針軸２５は、外装ケース３０の平面視中心を通り、表裏方向に延在する中心軸に沿って設けられている。
【００５６】
ダイヤルリング３６は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング３６は、平面視においてはリング形状となっており、断面視においてはすり鉢形状となっている。ダイヤルリング３６の平板部分と、傾斜部分と、ベゼル３２の内周面と、によりドーナツ形状の収納空間が形成されており、この収納空間内には、リング状のＧＰＳアンテナ１１０が収納されている。
【００５７】
このＧＰＳアンテナ１１０は、リング形状の誘電体を基材として、これに金属のアンテナパターンをメッキや銀ペースト印刷などにより形成したものである。このＧＰＳアンテナ１１０は、文字板１１の外周に配置されており、ベゼル３２の内周面側に配置され、さらにプラスチックで形成されたダイヤルリング３６、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００５８】
文字板１１は、外装ケース３０の内側で時刻を表示する円形の板材であり、プラスチックなどの光透過性の材料で形成され、カバーガラス３３との間に指針２１，２２，２３などを備え、ダイヤルリング３６の内側に配置されている。
文字板１１と、駆動機構１４０が取り付けられている地板１２５との間には、光発電を行うソーラーセル１３５が備えられている。ソーラーセル１３５は、光エネルギーを電気エネルギー（電力）に変換する。また、ソーラーセル１３５は、太陽光の検出機能も有している。文字板１１、ソーラーセル１３５および地板１２５には、指針軸２５と、第１小窓７０の指針７１、第２小窓８０の指針８１および第３小窓９０の指針９１の指針軸（図示せず）とが貫通する穴が形成されているとともに、カレンダー小窓１５の開口部が形成されている。
【００５９】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５等を回転させることにより、各指針を駆動する。
駆動機構１４０は、具体的には、第１〜第６駆動機構を備える。第１駆動機構は、内部時計（現在時刻）の「分」および「時」を示す指針（分針）２２および指針（時針）２３を駆動する。また、図２に示す指針２１、第１小窓７０の指針７１、第２小窓８０の指針８１および第３小窓９０の指針９１も同様の駆動機構（図示略）で駆動される。すなわち、第２駆動機構はクロノグラフ機能の「秒」を示す指針（クロノグラフ秒針）２１を駆動し、第３駆動機構はクロノグラフ機能の「分」を示す指針（クロノグラフ分針）７１を駆動し、第４駆動機構は、内部時計の「秒」を示す指針（小秒針）８１を駆動し、第５駆動機構はクロノグラフ機能の「時」を示す指針（クロノグラフ時針）９１を駆動し、第６駆動機構は、カレンダー小窓１５から視認されるカレンダー車１６を駆動する。
【００６０】
回路基板１２０は、ＧＰＳ受信回路１２１、制御回路２００、記憶部３００を備えている。また、この回路基板１２０とＧＰＳアンテナ１１０とは、アンテナ接続ピン１１５を用い接続されている。ＧＰＳ受信回路１２１、制御回路２００、記憶部３００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、ソーラーセル１３５が発電した電力で充電される。
【００６１】
ＧＰＳアンテナ１１０は、給電点を通じて給電され、この給電点には、ＧＰＳアンテナ１１０の裏面側に配置されたアンテナ接続ピン１１５が接続されている。アンテナ接続ピン１１５は金属で形成されたピン状のコネクターであり、回路基板１２０に突設されて、地板１２５に開口された挿通孔を貫通されて収納空間内へ挿通されている。これにより、回路基板１２０と、収納空間内部のＧＰＳアンテナ１１０とが、アンテナ接続ピン１１５で接続されている。
【００６２】
［電子機器の表示機構］
文字板１１の最外周には、図２に示すように、外周を６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００６３】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００６４】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星から受信した衛星信号に基づく各種情報の取得結果（Ｙ：受信（取得）成功、Ｎ：受信（取得）失敗）を表す。ユーザがＢボタン６２を操作することにより、受信結果の表示モードに移行すると、指針８１が「Ｙ」または「Ｎ」のいずれか一方を指示し、衛星信号の取得結果を表示する。また、ユーザがＡボタン６１とＢボタン６２とを操作して、衛星信号の自動受信のＯＮ／ＯＦＦを設定することができる。
【００６５】
また、「Ｙ」と「Ｎ」の表記は、後述する光自動受信を実行する第１受信制御部２１０（図５参照）が作動しているか否か（Ｙ：作動、Ｎ：停止）も表す。ユーザがＡボタン６１およびＢボタン６２を同時に３秒以上押し込むことで、受信制御部の切り替えモードに移行すると、指針８１が「Ｙ」または「Ｎ」のいずれか一方を指示し、第１受信制御部２１０が作動しているか否か（Ｙ：作動、Ｎ：停止）を表示する。また、ユーザがＡボタン６１を操作して、第１受信制御部２１０を作動させるか否かを設定することができる。なお、Ｂボタン６２が操作されると、受信制御部の切り替えモードが解除され、通常モードに戻る。
【００６６】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００６７】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。ユーザがリューズ６５とＢボタン６２を操作して、指針９１を「ＤＳＴ」または「○」に合わせることで、電子機器１００に夏時間のＯＮ／ＯＦＦを設定することができる。
【００６８】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図３参照）のパワーインジケーターであり、電池の残量に応じて、指針９１が基端、先端、中間のいずれかを指し示す。
【００６９】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。ユーザはＡボタン６１を操作し、指針９１で記号９３（機内モード）を選択することで、電子機器１００の衛星信号の受信を停止させることができる。
【００７０】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、内部時刻と後述するタイムゾーンとが修正されること（測位モード）を意味する。
また、ユーザはＡボタン６１を操作して受信モードを設定できる。すなわち、指針９１で「１」を選択すると時刻情報の受信モード（測時モード）が設定される。また、指針９１で「４＋」を選択すると位置情報の受信モード（測位モード）が設定される。
さらに、ユーザがＢボタン６２を操作して情報取得結果モードを選択すると、指針９１が「１」または「４＋」のいずれかを指し示し、電子機器１００が直前に受信した衛星信号の受信モードを表示する。
【００７１】
カレンダー小窓１５は、文字板１１を矩形状に開口した開口部に設けられており、開口部からカレンダー車１６に印刷された数字が視認可能となっている。この数字は、年月日の「日」を表す。
【００７２】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００７３】
上述したように、文字板１１には、６０分割された分および秒を表示する目盛が刻まれ、文字板１１の外周部を囲むダイヤルリング３６には、この目盛に沿って、協定世界時（ＵＴＣ）との時差を表す時差情報３７が数字と、数字以外の記号とで表記されている。数字の時差情報３７は整数の時差であり、記号の時差情報３７は整数以外の時差であることを表している。指針２２，２３，８１で表示された内部時刻と、ＵＴＣとの時差は、リューズ６５の操作により指針２１の指し示す時差情報３７で確認することができる。
また、ダイヤルリング３６の周囲に設けられているベゼル３２には、ダイヤルリング３６に表記されている時差情報３７の時差に対応した標準時を使用しているタイムゾーンの代表都市名を表す都市情報３５が、時差情報３７に併記されている。ここで、時差情報４５と都市情報３５との表記をタイムゾーン表示３８という。本実施形態では、全世界で使用されているタイムゾーンの数と等しいタイムゾーン表示３８が表記されている。
【００７４】
［電子機器の回路構成］
図４は、電子機器１００の回路構成を示すブロック図である。この図に示すように、電子機器１００は、ソーラーセル１３５と、二次電池１３０と、ＧＰＳ受信回路１２１と、制御回路２００と、ダイオード４１と、充電制御用スイッチ４２と、充電状態検出回路４３と、電圧検出回路４４と、時計部５０と、記憶部３００と、入力装置６０とを備えている。これらによって、本発明における電波受信装置は構成されている。なお、本発明における環境検出回路としての照度検出回路は、充電状態検出回路４３と、電圧検出回路４４とから構成される。
【００７５】
ＧＰＳ受信回路１２１は、二次電池１３０に蓄積された電力で駆動される負荷であり、各回の駆動毎に、ＧＰＳアンテナ１１０を通じてＧＰＳ衛星８からの衛星信号の受信を試み、受信に成功した場合には、取得した軌道情報やＧＰＳ時刻情報等の情報を制御回路２００へ供給し、失敗した場合には、その旨の情報を制御回路２００へ供給する。なお、ＧＰＳ受信回路１２１の構成は、公知のＧＰＳ受信回路の構成と同様であるため、その説明を省略する。
【００７６】
ダイオード４１は、ソーラーセル１３５と二次電池１３０とを電気的に接続する経路に設けられ、ソーラーセル１３５から二次電池１３０への電流（順方向電流）を遮断せずに、二次電池１３０からソーラーセル１３５への電流（逆方向電流）を遮断する。なお、順方向電流が流れるのは、二次電池１３０の電圧よりもソーラーセル１３５の電圧が高い場合、すなわち充電時に限られる。また、ダイオード４１に代えて電界効果トランジスター（ＦＥＴ）を採用してもよい。
【００７７】
充電制御用スイッチ４２は、ソーラーセル１３５から二次電池１３０への電流の経路を接続および切断するものであり、ソーラーセル１３５と二次電池１３０とを電気的に接続する経路に設けられたスイッチング素子４２１を備えている。スイッチング素子４２１がオフ状態からオン状態に遷移するとオン（接続）し、スイッチング素子４２１がオン状態からオフ状態へ遷移するとオフ（切断）する。
例えば、過充電により電池特性が劣化する状態にならないよう、二次電池１３０の電池電圧が所定値以上となる場合には、充電制御用スイッチ４２をオフする。
【００７８】
スイッチング素子４２１は、ｐチャネル型のトランジスターであり、ゲート電圧Ｖｇ１がローレベルの場合にはオン状態となり、ハイレベルの場合にはオフ状態となる。ゲート電圧Ｖｇ１は、制御回路２００に制御される。
【００７９】
充電状態検出回路４３は、充電状態の検出タイミングを指定する２値の制御信号ＣＴＬ１に基づいて作動し、ソーラーセル１３５から二次電池１３０への充電の状態（充電状態）を検出し、検出結果ＲＳ１を制御回路２００へ出力する。充電状態は「充電中」または「非充電中」であり、その検出は電池電圧ＶＣＣと充電制御用スイッチ４２がオンのときのソーラーセル１３５のＰＶＩＮとに基づいて行われる。例えば、ダイオード４１の降下電圧をＶｔｈとし、スイッチング素子４２１のオン抵抗を無視したとき、ＰＶＩＮ−Ｖｔｈ＞ＶＣＣの場合には「充電中」と判定し、ＰＶＩＮ−Ｖｔｈ≦ＶＣＣの場合には「非充電中」と判定することができる。
【００８０】
本実施形態では、制御信号ＣＴＬ１は、周期が１秒のパルス信号であり、充電状態検出回路４３は、制御信号ＣＴＬ１がハイレベルの期間において充電状態の検出を行う。つまり、充電状態検出回路４３は、充電制御用スイッチ４２を接続状態に維持したまま、充電状態の検出を１秒周期で繰り返し行う。
【００８１】
なお、充電状態の検出を間欠的に行うのは、充電状態検出回路４３の消費電力量を低減するためである。この低減が不要であれば、充電状態が連続的に検出されるようにしてもよい。充電状態検出回路４３は、例えば、コンパレーター、Ａ／Ｄコンバーター等を用いて構成することができる。
【００８２】
電圧検出回路４４は、電圧の検出タイミングを指定する２値の制御信号ＣＴＬ２に基づいて作動し、この制御信号ＣＴＬ２により充電制御用スイッチ４２がオフとされた期間においてソーラーセル１３５の端子電圧ＰＶＩＮ、すなわちソーラーセル１３５の開放電圧を検出する。また、電圧検出回路４４は、開放電圧の検出結果ＲＳ２を制御回路２００へ出力する。
【００８３】
時計部５０は、駆動機構１４０や各指針を備え、二次電池１３０に蓄積された電力で駆動されて計時処理を行う。計時処理では、時刻を計時する一方、計時時刻に応じた時刻（表示時刻）を電子機器１００の表面に表示させる。
記憶部３００は、各種情報を記憶する。記憶部３００の記憶容量は、記憶させる情報の数や大きさによって選択されればよい。
入力装置６０は、Ａボタン６１〜Ｄボタン６４、および、リューズ６５を備え、リューズ６５の位置や、操作されたボタンに応じた操作信号を制御回路２００に出力する。
【００８４】
［制御回路の構成］
制御回路２００は、電子機器１００を制御するためのＣＰＵで構成されている。この制御回路２００は、ＧＰＳ受信回路１２１を制御して受信処理を実行する。また、制御回路２００は、充電状態検出回路４３、電圧検出回路４４の動作を制御する。
具体的には、制御回路２００は、図５に示すように、第１受信制御部２１０と、第２受信制御部２２０と、切り替え部２３０とを備えている。
【００８５】
第１受信制御部２１０は、充電状態検出回路４３と電圧検出回路４４とから構成される環境検出回路の検出結果に基づいて、電子機器１００が屋外等の衛星信号を受信するのに適した環境にあると判断した場合には、ＧＰＳ受信回路１２１を作動させ、受信処理（光自動受信）を実行する。また、電子機器１００が衛星信号を受信するのに適した環境にないと判断した状態が、予め設定された所定時間以上の間継続した場合には、予め設定された定時受信時刻にＧＰＳ受信回路１２１を作動させ、受信処理（定時受信）を実行する。なお、第１受信制御部２１０の動作の詳細について後述する。
【００８６】
第２受信制御部２２０は、１日に１回、記憶部３００に記憶されている定時受信時刻にＧＰＳ受信回路１２１を作動させ、受信処理（定時受信）を実行する。
【００８７】
切り替え部２３０は、入力装置６０が操作されて、受信制御部の切り替えモードに移行した場合に作動し、入力装置６０に対する入力操作に応じて、第１受信制御部２１０および第２受信制御部２２０を切り替えて作動させる。すなわち、切り替え部２３０は、第１受信制御部２１０および第２受信制御部２２０の一方を選択して作動させる。
具体的には、ユーザによって、入力装置６０のＡボタン６１およびＢボタン６２が同時に３秒以上押し込まれ、受信制御部の切り替えモードに移行した状態で、Ａボタン６１が操作されると、切り替え部２３０は、第１受信制御部２１０および第２受信制御部２２０のうち、作動中の一方を停止させて、他方を作動させる。
【００８８】
［切り替え部の動作］
図６は、切り替え部２３０による切り替え処理を示すフローチャートである。
この切り替え処理は、入力装置６０が操作されて、受信制御部の切り替えモードに移行した場合に開始される。
図６に示すように、切り替え処理が開始されると、切り替え部２３０は、入力装置６０から出力される操作信号に基づいて、受信制御部を切り替える入力操作が行われたか否かを判定する（ＳＡ２１）。ＳＡ２１でＮＯと判定された場合、切り替え部２３０は、ＳＡ２１の判定を繰り返して行う。
【００８９】
ＳＡ２１でＹＥＳと判定された場合、切り替え部２３０は、入力操作により、第１受信制御部２１０が選択されたか否かを判定する（ＳＡ２２）。例えば、切り替え部２３０は、第１受信制御部２１０および第２受信制御部２２０のどちらが入力操作前に作動しているかの情報と、Ａボタン６１の操作回数とに基づいて、第１受信制御部２１０および第２受信制御部２２０のどちらが選択されたかを判断できる。
ＳＡ２２でＹＥＳと判定された場合、第２受信制御部２２０が作動中であると判断できるため、切り替え部２３０は、まず、第２受信制御部２２０の動作を停止する（ＳＡ２３）。そして、第１受信制御部２１０を作動させる（ＳＡ２４）。そして、処理をＳＡ２１に戻す。
【００９０】
一方、ＳＡ２２でＮＯと判定された場合、第１受信制御部２１０が作動中であると判断できるため、切り替え部２３０は、まず、第１受信制御部２１０の動作を停止する（ＳＡ２５）。そして、第２受信制御部２２０を作動させる（ＳＡ２６）。そして、処理をＳＡ２１に戻す。
【００９１】
［第１受信制御部の動作］
図７は、第１実施形態における第１受信制御部での衛星信号の受信処理を示すフローチャートである。図８は、充電状態検出、開放電圧検出、受信処理の作動タイミングを説明する図である。図９は、電子機器のソーラーセルに入射する光の照度とソーラーセルの開放電圧との関係を示すグラフである。図１０は、各照度検出レベルにおけるソーラーセルでの開放電圧およびソーラーセルに入射する光の照度との関係を示す図である。
【００９２】
このような電子機器１００における第１受信制御部２１０の動作について、図７のフローチャートに基づき説明する。
第１受信制御部２１０は、切り替え部２３０によって作動されている場合、毎日１２時００分００秒に制御を始める。まず、第１受信制御部２１０は、変数Ｒが「０」か否かを判定する（ＳＡ１）。この変数Ｒは、所定時間である２４時間以内に、衛星信号の受信処理が行われた場合には、受信が成功したか否かにかかわらず、「１」に設定される。一方で、２４時間以内に１回も受信処理が行われなかった場合には、すなわち、電子機器１００の配置環境が衛星信号を受信するのに適した環境ではないと判断された状態が２４時間以上継続した場合には、「０」に設定される。なお、前記所定時間は、２４時間に限らずいずれの時間としてもよいが、通常は、半日（１２時間）、１日（２４時間）、２日（４８時間）など、半日以上の時間に設定することが好ましい。
【００９３】
第１受信制御部２１０は、ＳＡ１でＮｏと判定した場合（変数Ｒが「１」であり、所定時間内に受信処理が行われた場合）、ソーラーセル１３５に入射する光の照度に対応する開放電圧の照度検出レベルが、２回連続して閾値である第２閾値レベル以上か否かを判定する（ＳＡ２）。すなわち、第１受信制御部２１０は、所定時間内に受信処理が行われた場合には、詳しくは後述するが、ソーラーセル１３５に入射する光の照度に基づいて衛星信号の受信処理（光自動受信）を開始する。
【００９４】
具体的に、第１受信制御部２１０は、図８に示すように、１秒間隔の制御信号ＣＴＬ１を出力し、一定周期で充電状態検出回路４３を作動する。制御信号ＣＴＬ１が入力されると、充電状態検出回路４３は、充電状態であるか否かを示す検出結果ＲＳ１を第１受信制御部２１０に出力する。このため、第１受信制御部２１０は、充電中であるか否かを判定する。なお、充電制御用スイッチ４２は、後述するように、電圧検出回路４４が作動されるタイミングのみオフに切り替えられる。なお、充電状態の検出を１秒間隔で行っているが、この間隔に限定されず、例えば、０．５秒間隔、１０秒間隔や１分間隔に設定してもよい。
【００９５】
電子機器１００に当たる光が暗く、ソーラーセル１３５で発電が行われていない場合、充電状態検出回路４３は「非充電中」の検出結果ＲＳ１を第１受信制御部２１０に出力する。この場合、第１受信制御部２１０は充電中ではないと判定し、第１受信制御部２１０からはローレベルの制御信号ＣＴＬ２を出力する。
したがって、充電状態でないと判定した場合、第１受信制御部２１０は、電子機器１００が屋外等のＧＰＳ信号の受信に適した場所に配置されていない可能性が高いと判断できる。
【００９６】
一方、第１受信制御部２１０は、充電状態であると判定した場合、電圧検出回路４４を作動する。この際、前述の通り、充電制御用スイッチ４２は、第１受信制御部２１０によってオフ状態に切り替えられる。すなわち、第１受信制御部２１０は、充電状態検出回路４３で充電中であることを検出すると、１秒間隔の制御信号ＣＴＬ２を出力し、電圧検出回路４４を作動する。この際、充電制御用スイッチ４２は、第１受信制御部２１０からの制御信号ＣＴＬ２によってオフ状態に制御されるので、ソーラーセル１３５および電圧検出回路４４は、二次電池１３０とは切り離される。このため、電圧検出回路４４は、二次電池１３０の充電電圧の影響を受けることなく、ソーラーセル１３５に入射する光の照度に対応する開放電圧を検出できる。
なお、充電制御用スイッチ４２がオフ状態では充電状態検出回路４３によって充電状態を検出できない。このため、第１受信制御部２１０は、充電状態検出回路４３に対する制御信号ＣＴＬ１の出力タイミングと、電圧検出回路４４に対する制御信号ＣＴＬ２の出力タイミングとが一致しないように、制御信号ＣＴＬ１と制御信号ＣＴＬ２の出力タイミングをずらしている。
【００９７】
本実施形態では、電圧検出回路４４で検出される開放電圧は、図９に示すように、ソーラーセル１３５における照度が高くなるほど高くなる。
なお、電圧検出回路４４として、ソーラーセル１３５の開放電圧の代わりにソーラーセル１３５の短絡電流を検出することで、ソーラーセル１３５に入射する光の照度を検出する構成を用いてもよい。
【００９８】
第１受信制御部２１０は、電圧検出回路４４から出力される検出結果ＲＳ２により、開放電圧に対応する照度検出レベルを判定する。本実施形態では、第１受信制御部２１０は照度検出レベルを図１０に示す関係に基づいて判定する。なお、図１０における開放電圧と照度は、各照度検出レベルにおける下限値を表したものである。例えば、第１受信制御部２１０は、開放電圧が５．６Ｖ以上５．８Ｖ未満の場合、照度検出レベルが「７」であり、５．９Ｖ以上６．２Ｖ未満の場合、照度検出レベルが「９」であると判定する。
【００９９】
そして、第１受信制御部２１０は、前述のＳＡ２の処理、すなわち検出結果ＲＳ２により得られた照度検出レベルが、１秒間隔での電圧検出に基づいて２回連続して、予め設定された第２閾値としての第２閾値レベル以上か否かを判定する。
ここで、照度検出レベルとソーラーセルでの開放電圧との関係は、図１０に示す関係に基づいて、予め設定されている。つまり、ソーラーセル１３５に入射する光の照度の照度検出レベルが予め設定された第２閾値レベル以上である高照度状態であるか、第２閾値レベルよりも低い低照度状態であるかを判定するための閾値は、この図に基づいて設定されている。但し、照度検出レベルとソーラーセルでの開放電圧との関係は、図１０に示す関係に限定されず、適宜設定することができる。
また、蛍光灯下においてソーラーセル１３５に照射された場合の光の照度は通常５００〜１０００ルクスであるのに対し、曇りの日の日光がソーラーセル１３５に照射された場合の光の照度は通常５０００ルクス程度である。そこで、ソーラーセル１３５に５０００ルクスの光を入射した場合に対応する照度検出レベルである「５」を、第２閾値レベルとして規定している。
【０１００】
なお、第２閾値レベルは、「５」以外のレベルに規定されていてもよい。また、照度検出レベルが第２閾値レベル未満の状態が所定時間以上の間継続した場合には、第２閾値レベルを１レベル低くなるように設定し直して、ＧＰＳ受信回路１２１を作動させる条件をより緩くしてもよい。このように、第２閾値レベルを低く設定し直すことにより、照度検出レベルが第２閾値レベル以上となりやすくなり、ＧＰＳ受信回路１２１を作動させる機会を設けることができる。
【０１０１】
また、ソーラーセル１３５が劣化して電力変換効率が落ちた場合には、ソーラーセル１３５に同じ照度の光が入射しても、開放電圧がより低くなり、第１受信制御部２１０で判定される照度検出レベルも低くなってしまう。このような場合には、第２閾値レベルを固定してしまうと、第１受信制御部２１０によって電子機器１００が屋外等のＧＰＳ信号を受信するのに適した環境にあることを適切に判定できないため、問題が生じる。
上述のように、第２閾値レベルを低くすれば、ソーラーセル１３５の劣化が進むことにより、５０００ルクスの光が入射した場合に、照度検出レベルが第２閾値レベルである「５」よりも低い「４」以下にしかならなくても、ＧＰＳ受信回路１２１を作動させる機会を設けることができる。
【０１０２】
ＳＡ２でＮｏと判定した場合（低照度状態である場合）、第１受信制御部２１０は、電子機器１００が屋外等に配置されておらず、ＧＰＳ信号の受信に適した環境に配置されていない可能性が高いと判断できる。
すなわち、電子機器１００が屋外等のＧＰＳ信号を受信するのに適した環境に配置され、かつ、昼間であれば、ソーラーセル１３５には、第２閾値レベル以上の光が１秒以上継続して照射されるはずである。従って、１秒間隔で開放電圧を検出した場合、２回以上連続して第２閾値レベル以上の開放電圧を検出した場合には、電子機器１００が屋外等のＧＰＳ信号を受信するのに適した環境に配置されている可能性が高いと判断できる。
一方、２回以上連続して第２閾値レベル以上の開放電圧を検出できない場合には、例えば、電子機器１００である腕時計を装着した人が、屋内を移動しているために開放電圧が１回も第２閾値レベル以上とならない場合や、建物の窓から瞬間的に直射日光がソーラーセル１３５に当たったために２回以上連続して第２閾値レベル以上とはならない場合等が想定される。このような条件では、ＧＰＳ信号を感度よく受信することが難しい。
従って、本実施形態では、ＳＡ２において、２回連続して照度検出レベルが第２閾値レベル以上であるかを判断している。なお、このような判定としては、２回連続して照度検出レベルが第２閾値レベル以上であるかを判断するものに限定されない。例えば、ユーザが屋外等のＧＰＳ信号を受信するのに適した環境にいることをより高精度に判定したい場合には、３回以上連続して照度検出レベルが第２閾値レベル以上であることを条件としてもよい。
【０１０３】
ＳＡ２でＮｏと判定した場合には、現在の時刻が、第１受信制御部２１０が制御を始めた日の翌日の１１時５９分５９秒以前か否か判定する（ＳＡ３）。このようにして、第１受信制御部２１０は、受信処理を行わずに、予め設定された所定時間が経過したか否か判定する。この場合、所定時間は２４時間である。そして、ＳＡ３でＮｏと判定した場合は、ＳＡ１に戻り、一定周期で充電状態検出回路４３を作動する。
【０１０４】
一方で、ＳＡ３でＹｅｓと判定した場合（所定時間経過した場合）は、変数Ｒを「０」に設定して（ＳＡ４）、処理を終了し、次に第１受信制御部２１０での処理が開始される制御再開時刻まで待機状態に移行する。ここで、制御再開時刻は１秒後の１２時００分００秒である。
【０１０５】
一方で、ＳＡ２でＹｅｓと判定した場合には、前述の通り、ＧＰＳ信号の受信に適した状態になっていると予測できるので、第１受信制御部２１０は、ＧＰＳ受信回路１２１を作動してＧＰＳ信号の受信を開始する（ＳＡ５）。
なお、ＳＡ２でＹｅｓと判定した後にＳＡ５で開始される受信処理は、光自動受信あるいは後述する定時受信（以下、光自動受信と定時受信とをまとめて、「自動受信」という場合がある）である。この自動受信では、測時モードでの受信処理が行われる。すなわち、測位モードでは、位置を検出するために３個以上のＧＰＳ衛星８から信号を受信しなければならず、受信処理時間も長くなる。このため、信号受信が終了するまで電子機器１００を屋外等のＧＰＳ信号を受信するのに適した環境に配置しておくことが好ましいが、自動受信ではユーザが受信中であることに気がつかず、受信中であっても屋内等のＧＰＳ信号を受信するのに適していない環境に移動してしまうおそれもある。このため、測位モードでの受信は、ユーザが意図して受信操作を行った場合のみ、つまり強制受信時のみ行うことが好ましい。
一方、測時モードでは、１つのＧＰＳ衛星８からの信号受信でも時刻情報を取得でき、受信処理時間も短くできる。従って、ユーザが意図しなくても、受信処理を実行することができ、自動受信に適している。
【０１０６】
一方で、第１受信制御部２１０は、ＳＡ１でＹｅｓと判定した場合（変数Ｒが「０」であり、所定時間内に受信処理が行われなかった場合）は、現在の時刻が予め設定された定時受信時刻か否かを判定する（ＳＡ６）。ここで、定時受信時刻は、詳しくは後述するが、光自動受信が成功した場合の受信開始時刻であり、記憶部３００に記憶されている。
なお、定時受信時刻は、受信終了時刻であってもよい。
また、例えば、システムリセット後であって、定時受信時刻が記憶部３００に記憶されていない場合には、デフォルトの時刻を定時受信時刻と見なしてＳＡ６の処理を行ってもよいし、定時受信を行わないと判定（ＳＡ６でＮｏと判定）してもよい。
【０１０７】
第１受信制御部２１０は、ＳＡ６でＮｏと判定した場合、ＳＡ２の処理を行う。一方、第１受信制御部２１０は、ＳＡ６でＹｅｓと判定した場合、ＳＡ５の処理を行う。
すなわち、第１受信制御部２１０は、所定時間内に受信処理が行われなかった場合において、現在の時刻が定時受信時刻になるまでの間は、光自動受信を行えるか否かを判断する。そして、第１受信制御部２１０は、定時受信時刻となったと判定すると、ソーラーセル１３５に入射する光の照度の大きさによらず、衛星信号の受信処理を強制的に行う定時受信を行う。
【０１０８】
第１受信制御部２１０は、ＳＡ５で開始される受信処理によりＧＰＳ信号の受信に成功したか否かを判定する（ＳＡ７）。
なお、ＧＰＳ受信回路１２１では、まず、ＧＰＳ衛星８の検索を行い、ＧＰＳ受信回路１２１でＧＰＳ信号を検出する。そして、ＧＰＳ信号を検出した場合には、引き続きＧＰＳ信号の受信を継続し、時刻情報を受信する。このように時刻情報を受信できた場合には、受信処理によりＧＰＳ信号の受信に成功したと判定する。それ以外の場合、すなわち、ＧＰＳ受信回路１２１でＧＰＳ信号が検出されない場合や、時刻情報を受信できなかった場合には、受信処理によりＧＰＳ信号の受信に失敗したと判定する。
また、第１受信制御部２１０は、受信処理によりＧＰＳ信号の受信に失敗した（ＳＡ７：Ｎｏ）と判定した場合には、変数Ｒを「１」に設定して（ＳＡ８）処理を終了し、制御再開時刻である翌日の１２時００分００秒まで待機状態に移行する。
【０１０９】
なお、ＳＡ７においてＮｏと判定した場合に、第２閾値レベルを１レベル高くなるように設定し直してもよい。このようにすれば、翌日の１２時００分００秒からＳＡ１の処理を再開する場合に、第２閾値レベルが１レベル高くなることで、検出レベルが第２閾値レベル以上となりにくくなる。より具体的には、屋内に配置された電子機器１００に照明の光が非常に強く照射され、検出レベルが第２閾値レベル以上となっていたために受信処理が行われた場合には、受信に失敗するために第２閾値レベルが１レベルずつ高くなる。そして、このように第２閾値レベルが１レベルずつ高くなることで、いずれは照明の光では検出レベルが第２閾値レベル以上とはならなくなり、屋外に移動して直射日光が照射した場合のみ第２閾値レベル以上となる。このようにして、電子機器１００を使用する人の生活環境に合わせて第２閾値レベルの最適化を図ることができる。以上のように、ＧＰＳ受信回路１２１でＧＰＳ信号の受信に失敗した場合に、ＧＰＳ受信回路１２１を作動させる条件をより厳しくすることにより、ＧＰＳ信号の受信に適した環境でＧＰＳ受信回路１２１を作動させることとなる。
【０１１０】
一方で、第１受信制御部２１０は、受信処理によりＧＰＳ信号の受信に成功した（ＳＡ７：Ｙｅｓ）と判定した場合には、この受信が光自動受信によるものか否かを判定する（ＳＡ９）。この後、第１受信制御部２１０は、光自動受信が成功した（ＳＡ９：Ｙｅｓ）と判定した場合には、記憶部３００に記憶されている定時受信時刻を削除するとともに、今回成功した光自動受信の開始時刻（自動受信成功時刻）を定時受信時刻として記憶部３００に記憶させ（ＳＡ１０）、ＳＡ８の処理を行う。
一方で、第１受信制御部２１０は、定時受信が成功した（ＳＡ９：Ｎｏ）と判定した場合には、ＳＡ１０の処理を行わずにＳＡ８の処理を行う。
【０１１１】
なお、ＳＡ１０の処理において、第１受信制御部２１０は、自動受信成功時刻が「１２時００分３０秒」であっても、「１２時００分００秒」を定時受信時刻として記憶させる。すなわち、自動受信成功時刻を定時受信時刻として記憶させる前に、当該自動受信成功時刻が１分間隔で設定された複数の時間帯のうちのいずれの時間帯に含まれるかを判定し、この時間帯の特定時刻を自動受信成功時刻として記憶させる。例えば、自動受信成功時刻が「１２時００分００秒」から「１２時００分５９秒」までの時間帯に含まれる場合には、この時間帯の秒単位の値を切り捨てた「１２時００分００秒」を定時受信時刻として記憶させる。
【０１１２】
このような第１実施形態によれば、以下のような作用効果が得られる。
切り替え部２３０を備えているため、例えば電子機器１００の使用状況に応じて、第１受信制御部２１０および第２受信制御部２２０を切り替えて作動させることができる。
第１受信制御部２１０は、電圧検出回路４４で検出された開放電圧の照度検出レベルが２回連続して第２閾値レベル以上であると判定した場合、電子機器１００の配置環境が屋外等の衛星信号を受信するのに適した環境であると判断して、衛星信号の受信を行う。一方で、電子機器１００が衛星信号を受信するのに適した環境にないと判断した状態が所定時間である２４時間以上の間継続したときには、予め設定された定時受信時刻に衛星信号の受信を行う。
このため、第１受信制御部２１０が作動すると、電子機器１００が屋外等の衛星信号を受信するのに適した環境にある場合に受信が行われるため、受信に成功しやすい。また、電子機器１００が受信に失敗する可能性が高い屋内等に配置されている場合は、この状態が所定時間以上の間継続した場合を除いて受信が行われないので、無駄な電力消費を抑制できる。一方、電子機器１００が屋外等の衛星信号を受信するのに適した環境にあるにもかかわらず、電子機器１００に当たる光が弱く、衛星信号を受信するのに適した環境にあると判断できない場合であっても、この状態が所定時間以上の間継続したときには、定時受信時刻に衛星信号の受信が行われる。
また、第２受信制御部２２０が作動すると、定時受信時刻にだけ受信が行われるため、電子機器１００を装着したユーザが、光が当たる場所に短時間だけ居て、その後、屋内等に移動するような場合に、受信が開始されることがないため、無駄な電力消費を抑制できる。また、電子機器１００が夜間を中心に使用される場合でも、定時受信時刻毎に受信が行われるため、受信間隔の平均値が定時受信時刻の間隔よりも長くなることを防止できる。
このため、例えば電子機器１００の使用状況に応じて、第１受信制御部２１０および第２受信制御部２２０を切り替えて作動させることで、受信に成功しやすくでき、電力消費を低減でき、受信間隔の平均値が定時受信時刻の間隔よりも長くなることを防止できる。
【０１１３】
また、切り替え部２３０は、入力装置６０に対する入力操作に応じて、第１受信制御部２１０および第２受信制御部２２０を切り替えて作動させるため、ユーザは、入力装置６０を操作することで、自身の行動に合わせて、最適なタイミングで第１受信制御部２１０および第２受信制御部２２０を切り替えて作動させることができる。
【０１１４】
また、第１受信制御部２１０は、光自動受信または定時受信を行うと、変数Ｒを「１」に設定する。そして、第１受信制御部２１０は、次回の処理時に変数Ｒが「１」の場合には、定時受信を行わずに、光自動受信のみを行う。
このため、受信処理を行った翌日には、定時受信よりも成功の可能性が高い光自動受信のみを行うため、定時受信と光自動受信とを両方行う場合と比べて、無駄な電力を消費することなく衛星信号を受信できる。
【０１１５】
さらに、第１受信制御部２１０は、過去における光自動受信の成功時刻を定時受信時刻として設定する。
このため、定時受信時刻を、ユーザの生活パターンに合わせて設定することができ、受信の成功確率を高めることができる。特に、最後に光自動受信が成功した時刻を定時受信時刻として設定することで、直近の生活パターンに合わせた時刻に受信を行うことができる。
【０１１６】
また、環境検出回路を、ソーラーセル１３５に入射する光の照度を検出する充電状態検出回路４３と電圧検出回路４４とで構成している。
このため、昼間であれば屋内と屋外とを適切に区別でき、受信の成功確率を高めることができる。
【０１１７】
第１受信制御部２１０は、自動受信成功時刻をそのまま定時受信時刻として記憶させずに、当該自動受信成功時刻が含まれる時間帯の特定時刻を自動受信成功時刻として記憶させる。
このため、ユーザは、定時受信時刻を容易に把握できる。
【０１１８】
また、電子機器１００は、電波として衛星信号を受信するため、受信した衛星信号から時刻情報や、衛星の軌道情報等を含む測位計算用情報を取得できる。
【０１１９】
また、第１受信制御部２１０は、充電状態検出回路４３で充電状態が検出されている場合のみ、電圧検出回路４４を作動しているので、充電が行われていない状態つまり光がソーラーセル１３５に照射していない状態で電圧検出回路４４が作動されることがなく、無駄な電力消費を防止できる。
【０１２０】
充電状態検出回路４３による充電状態の検出処理を１秒間隔で行い、電圧検出回路４４による発電状態の検出処理は、充電状態検出回路４３によって充電中であると判定された場合のみ実行されるので、電圧検出回路４４の作動時間、つまり充電制御用スイッチ４２がオフされる時間を最小限に抑えることができる。このため、ソーラーセル１３５による充電効率の低下も抑えることができる。
【０１２１】
［第２実施形態］
次に、本発明の第２実施形態を図面に基づいて説明する。
なお、本実施形態の電子機器の構造および切り替え部での切り替え処理は、前記第１実施形態と同様であるから、その詳細な説明は省略または簡略化する。
【０１２２】
図１１は、第２実施形態における第１受信制御部２１０での衛星信号の受信処理を示すフローチャートである。
本実施形態では、前記第１実施形態に対して、
（i）定時受信時刻が、強制受信が成功したときの受信開始時刻である点、
（ii）変数Ｒが「０」の場合（受信を行わなかった場合）には、充電状態検出回路４３および電圧検出回路４４を作動させない点、
が異なる。
なお、強制受信とは、入力装置６０をユーザが意図して操作することにより開始される受信をいう。また、第１受信制御部２１０でのＳＢ１〜ＳＢ８の処理については、第１実施形態におけるＳＡ１〜ＳＡ８と同様の処理である。
【０１２３】
第１受信制御部２１０は、図１１に示すように、ＳＢ１〜ＳＢ６の処理を行い、ＳＢ６においてＹｅｓ（現在時刻が定時受信時刻である）と判定されると、定時受信を開始し（ＳＢ５）、Ｎｏ（現在時刻が定時受信時刻でない）と判定されると、強制受信開始の操作がなされたか否かを判定する（ＳＢ９）。
第１受信制御部２１０は、ＳＢ９でＹｅｓと判定されると、強制受信を開始し（ＳＢ５）、Ｎｏと判定されると、ＳＢ３の処理を行う。すなわち、所定時間内に受信処理が行われなかった場合には、充電状態検出回路４３および電圧検出回路４４を作動させないことで光自動受信を行わずに、定時受信または強制受信のみを行う。
【０１２４】
また、第１受信制御部２１０は、ＳＢ７において受信が成功したと判定されると、強制受信が成功したか否かを判定する（ＳＢ１０）。成功した受信が強制受信であると判定されると（ＳＢ１０でＹｅｓ）、記憶部３００に記憶されている定時受信時刻を削除するとともに、今回成功した強制受信の開始時刻（強制受信成功時刻）を記憶部３００に記憶させて（ＳＢ１１）、ＳＢ８の処理を行う。一方、光自動受信または定時受信であると判定されると（ＳＢ１０でＮｏ）、ＳＢ１１の処理を行わずにＳＢ８の処理を行う。
【０１２５】
また、第２実施形態では、第２受信制御部２２０も、強制受信開始の操作がなされた場合には、強制受信を行う。そして、強制受信が成功した場合には、記憶部３００に記憶されている定時受信時刻を削除するとともに、今回成功した強制受信成功時刻を記憶部３００に記憶させる。
【０１２６】
なお、第１受信制御部２１０および第２受信制御部２２０は、強制受信成功時刻をそのまま定時受信時刻として記憶させずに、当該強制受信成功時刻が含まれる時間帯の特定時刻を強制受信成功時刻として記憶させる。ここで、時間帯は、第１実施形態と同様に１分間隔で設定されたものであってもよいし、異なる間隔で設定されたものであってもよい。
【０１２７】
このような第２実施形態によれば、前記第１実施形態で得られる作用効果の他に、以下の作用効果が得られる。
第１受信制御部２１０は、電子機器が衛星信号を受信するのに適した環境にないと判断した状態が２４時間以上継続し、変数Ｒが「０」の場合には、充電状態検出回路４３および電圧検出回路４４を作動させないことで光自動受信を行わずに、定時受信を行う。
このため、光自動受信による無駄な検出処理を行うことなく衛星信号を受信できる。
【０１２８】
第１受信制御部２１０および第２受信制御部２２０は、過去における強制受信の成功時刻を定時受信時刻として設定する。
ここで、ユーザは、受信を成功させるために、屋外にいる場合に強制受信を要求すると考えられる。このため、強制受信が要求された時刻には、ユーザは、屋外にいる可能性が高いと考えられる。このため、過去に強制受信が要求された時刻に定時受信を行うことで、受信の成功確率を高めることができる。
【０１２９】
［第３実施形態］
次に、本発明の第３実施形態を図面に基づいて説明する。
なお、本実施形態の電子機器の構造および切り替え部での切り替え処理は、前記第１実施形態と同様であるから、その詳細な説明は省略または簡略化する。
【０１３０】
図１２は、第３実施形態における第１受信制御部での衛星信号の受信処理を示すフローチャートである。
本実施形態では、前記第１実施形態に対して、
（i）衛星信号の受信を行った場合には、制御開始時刻としての制御再開時刻を翌々日の１２時００分００秒と設定し、受信を行っていない場合には、制御再開時刻を翌日の１２時００分００秒に設定する点、
が異なる。なお、第１受信制御部２１０でのＳＣ１〜ＳＣ１０の処理については、第１実施形態におけるＳＡ１〜ＳＡ１０と同様の処理である。
【０１３１】
第１受信制御部２１０は、図１２に示すように、ＳＣ１〜ＳＣ１０の処理を行い、ＳＣ４あるいはＳＣ８において変数Ｒの設定を行うと、変数Ｒが「１」に設定されているか否かを判定する（ＳＣ１１）。
第１受信制御部２１０は、ＳＣ１１においてＹｅｓ（受信処理を行った）と判定されると、制御再開時刻を翌々日の１２時００分００秒に設定し（ＳＣ１２）、Ｎｏ（受信処理を行っていない）と判定されると、制御再開時刻を翌日の１２時００分００秒に設定する（ＳＣ１３）。
【０１３２】
また、第３実施形態では、第２受信制御部２２０は、２日に１回、定時受信時刻にＧＰＳ受信回路１２１を作動させ、受信処理を実行する。
【０１３３】
このような第３実施形態によれば、前記第１実施形態で得られる作用効果の他に、以下の作用効果が得られる。
第１受信制御部２１０は、受信を行った場合には、翌々日の受信再開時刻まで受信制御を行わず、受信を行っていない場合には、翌日の受信再開時刻に受信制御を行う。
ここで、受信処理には二次電池１３０の電力が必要であり、受信処理を行った翌日の電力の残量は少なくなる。このため、２日続けて受信処理を行うと、受信中に電力が無くなり受信が中断してしまうおそれがある。本実施形態では、受信処理を行った翌日に受信処理を行わないため、当該翌日に二次電池１３０の充電を行うことが可能となり、受信が中断してしまうという不具合を抑制できる。
一方で、受信処理を行わなかった翌日には、二次電池１３０の電力は十分に残っている。
このため、当該翌日に受信処理を行ったとしても、受信中に電力が無くなるという不具合が発生することなく、迅速なタイミングで衛星信号を受信できる。
【０１３４】
［第４実施形態］
次に、本発明の第４実施形態を図面に基づいて説明する。
なお、本実施形態の電子機器の構造および切り替え部での切り替え処理は、前記第１実施形態と同様であるから、その詳細な説明は省略または簡略化する。
【０１３５】
図１３は、第４実施形態における制御回路２００での照度検出レベルの記憶処理を示すフローチャートである。図１４は、定時受信時刻の設定に用いる各照度検出レベルでの検出時刻および検出回数の関係を示す図である。図１５は、第１受信制御部での衛星信号の受信処理を示すフローチャートである。
本実施形態では、前記第１実施形態に対して、
（i）定時受信時刻を、過去に検出した照度検出レベルにおける検出時刻および検出回数に基づいて設定する点、
が異なる。
なお、第１受信制御部２１０でのＳＤ１１〜ＳＤ１７の処理については、第１実施形態におけるＳＡ１〜ＳＡ６，ＳＡ８と同様の処理である。
【０１３６】
制御回路２００は、例えば、電子機器１００が初めて利用される場合、あるいは、システムリセット後に、照度検出レベルの記憶処理を行い、数日分あるいは数時間分のデータを蓄積する。また、後述する図１５に示すような衛星信号の受信処理中にも照度検出レベルの記憶処理を行い、データを蓄積していく。
すなわち、制御回路２００は、所定時間毎に、あるいは、ユーザのボタン操作に基づいて、一定周期で充電状態検出回路４３を作動する（ＳＤ１）。ここで、一定周期としては、１秒、５秒、１０秒、１分、３０分などいずれの周期であってもよい。周期は、記憶部３００の記憶容量や二次電池１３０の消費電力で決めることができる。すなわち、記憶部３００の記憶容量が大きければ、後述する定時受信時刻の設定を適切に行うために、周期を短くして多くのデータを記憶すればよい。また、二次電池１３０の消費電力を抑えたい場合には、周期を長くすればよい。さらに、夜の時間帯に照度検出レベルの記憶処理を行わなくてもよい。これは、夜に検出される照度検出レベルは、ユーザが屋外にいれば低いためである。
【０１３７】
次に、制御回路２００は、充電中であるか否かを判定し（ＳＤ２）、充電中ではない（ＳＤ２：Ｎｏ）と判定した場合には、ＳＤ１の処理を行う。一方、制御回路２００は、ＳＤ２で充電状態である（ＳＤ２：Ｙｅｓ）と判定された場合、充電制御用スイッチ４２をオフにして、ソーラーセル１３５に入射する光の照度に対応する開放電圧を検出する（ＳＤ３）。
【０１３８】
そして、制御回路２００は、例えば、図１０に示す関係に基づいて、開放電圧に対応する照度検出レベルを判定して（ＳＤ４）、この判定した照度検出レベルを当該検出レベルの検出時刻とともに記憶させて（ＳＤ５）、処理を終了する。具体的に、制御回路２００は、照度の検出時刻を記憶させる前に、当該検出時刻が１分間隔で設定された複数の時間帯のうちのいずれの時間帯に含まれるかを判定し、この時間帯の特定時刻を検出時刻として照度検出レベルとともに記憶させる。例えば、照度の検出時刻が「２０時００分００秒」から「２０時００分５９秒」までの時間帯に含まれる場合には、この時間帯の秒単位の値を切り捨てた「２０時００分００秒」を検出時刻として記憶させる。
なお、この時間帯は、１分間隔に限らず、５分、１０分、１５分、３０分間隔としてもよい。また、検出時刻は、秒単位を切り捨てたものに限らず、秒単位および分単位の両方を切り捨てたものであってもよい。さらに、時間帯が例えば１０分間隔で設定されている場合において、「１９時５５分００秒」から「２０時０４分５９秒」までの時間帯の検出時刻は、最初の「１９時５５分００秒」であってもよいし、中間の「２０時００分００秒」であってもよい。
【０１３９】
また、制御回路２００は、照度検出レベルと検出時刻とを記憶させる際に、当該組合せがすでに記憶部３００に記憶されている場合には、当該組合せの検出回数を１増やす。一方、照度検出レベルと検出時刻との組合せが、記憶部３００に記憶されていない場合には、当該組合せを新たに記憶させるとともに、検出回数が１回である旨を記憶させる。
さらに、制御回路２００は、照度検出レベルが高い順かつ検出回数が多い順にデータを並び替えて、当該照度検出レベルの検出時刻を定時受信時刻として設定する優先順位を設定する。具体的に、第１受信制御部２１０は、図１４に示すように、まず、照度検出レベルが高い順にデータを並べ、照度検出レベルが同じ場合には、検出回数が多い順にデータを並べる。
そして、この並べた順序で優先順位を設定する。ここで、図１４に示す優先順位は、値が小さいほど優先順位が高いことを表すものである。
【０１４０】
なお、検出回数を記憶部３００に記憶させずに、照度検出レベルと検出時刻のみを記憶させ、同じ照度検出レベルおよび検出時刻の組合せの数をカウントすることで、検出回数を判定してもよい。また、優先順位が高い順にデータを並び替えているが、データを並び替えずに優先順位を設定してもよい。
【０１４１】
また、第１受信制御部２１０は、図１５に示すように、ＳＤ１１〜ＳＤ１９の衛星信号の受信処理を行う。ここで、記憶部３００に記憶された過去の照度検出レベルの検出結果に基づいて、優先順位が最も高い検出時刻が定時受信時刻として設定されている。図１４に示す状態でＳＤ１６の処理を行う場合には、優先順位が「１」の「２０時００分００秒」が定時受信時刻として設定されている。
【０１４２】
第１受信制御部２１０は、ＳＤ１７の処理の後、受信が成功したか否かを判定する（ＳＤ１８）。そして、第１受信制御部２１０は、ＳＤ１８でＹｅｓと判定した場合、定時受信時刻を変更せずに、制御再開時刻である翌日の１２時００分００秒まで待機状態に移行する。
【０１４３】
一方で、第１受信制御部２１０は、ＳＤ１８でＮｏと判定した場合、定時受信時刻を変更して（ＳＤ１９）、翌日の１２時００分００秒まで待機状態に移行する。具体的に、第１受信制御部２１０は、定時受信時刻として設定されていた検出時刻以外の検出時刻のうち、最も優先順位が高い（最も照度検出レベルが高くかつ最も検出回数が多い）検出時刻を定時受信時刻として設定する。ここで、上述したように、制御回路２００は、衛星信号の受信処理と並行して、照度検出レベルの記憶処理を行っている。このため、第１受信制御部２１０は、最新のデータに基づいて、定時受信時刻を変更する。例えば、図１４に示す状態において、優先順位が「１」の「２０時００分００秒」での定時受信に失敗した場合には、優先順位が「２」の「７時００分００秒」を定時受信時刻として設定する。
【０１４４】
また、第４実施形態では、第２受信制御部２２０が受信処理を行う場合も、記憶部３００に記憶された過去の照度検出レベルの検出結果に基づいて、優先順位が最も高い検出時刻が定時受信時刻として設定されている。
そして、本実施形態では、第２受信制御部２２０も、定時受信に失敗した場合には、定時受信時刻として設定されていた検出時刻以外の検出時刻のうち、最も優先順位が高い検出時刻を定時受信時刻として設定し、定時受信に成功した場合には、定時受信時刻を変更しない。
【０１４５】
このような第４実施形態によれば、前記第１実施形態で得られる作用効果の他に、以下の作用効果が得られる。
制御回路２００は、過去に検出した照度検出レベルと、当該照度検出レベルの検出時刻とを記憶部３００に記憶させ、照度検出レベルが最も高い検出時刻を定時受信時刻として設定する。
このため、建物などの衛星信号を遮るものが少ない環境下であると考えられる時刻に定時受信を行うことができ、受信の成功確率を高めることができる。
【０１４６】
制御回路２００は、照度検出レベルが最も高い検出時刻のうち、検出回数が最も多い検出時刻を定時受信時刻として設定する。
このため、過去における照度が高い検出時刻のうち、検出回数が最も多い検出時刻に受信を行うことで、受信の成功確率を高めることができる。
【０１４７】
制御回路２００は、検出時刻を定時受信時刻として設定する優先順位を、照度検出レベルが高い順かつ検出回数が多い順に設定する。そして、第１受信制御部２１０および第２受信制御部２２０は、定時受信が失敗した場合には、定時受信時刻として設定されていた検出時刻以外の検出時刻のうち、最も優先順位が高い検出時刻を定時受信時刻として設定し、成功した場合には、定時受信時刻を変更しない。
このため、例えば、ユーザの生活パターンが変わったり、照明の影響で照度検出レベルが屋外と同じように高かったことにより、過去における照度が最も高い時刻に受信を失敗しても、次回の定時受信を次に照度が高いあるいは検出回数が多い時刻に行うため、次回の定時受信の成功確率を高めることができる。
【０１４８】
［第５実施形態］
次に、本発明の第５実施形態を図面に基づいて説明する。
なお、本実施形態の電子機器の構造および切り替え部での切り替え処理は、前記第１実施形態と同様であり、本実施形態の第１受信制御部および第２受信制御部での衛星信号の受信処理は、前記第４実施形態と同様であるから、その詳細な説明は省略または簡略化する。
【０１４９】
図１６は、第５実施形態における制御回路での検出時刻の記憶処理を示すフローチャートである。図１７は、定時受信時刻の設定に用いる各検出時刻での検出回数を示す図である。
本実施形態では、前記第４実施形態に対して、
（i）定時受信時刻を、過去に照度検出レベルが第１閾値としての第１閾値レベル以上となった検出時刻および検出回数に基づいて設定する点、
が異なる。
なお、制御回路２００でのＳＥ１〜ＳＥ４の処理については、第４実施形態におけるＳＤ１〜ＳＤ４と同様の処理である。
【０１５０】
制御回路２００は、例えば、電子機器１００が初めて利用される場合、あるいは、システムリセット後に、図１６に示すような検出時刻の記憶処理を行い、数日分あるいは数時間分のデータを蓄積する。また、後述する衛星信号の受信処理中にも検出時刻の記憶処理を行い、データを蓄積していく。
具体的に、制御回路２００は、ＳＥ１〜ＳＥ４の処理を行い、ＳＥ４で検出した開放電圧に対応する照度検出レベルが、２回連続して第１閾値レベル（例えば、「５」）以上か否かを判定する（ＳＥ５）。なお、第１閾値レベルは、図１０に示す関係に基づいて設定されており、「５」以外のレベルに設定されていてもよい。
【０１５１】
制御回路２００は、照度検出レベルが２回連続して第１閾値レベル以上でない（ＳＥ５：Ｎｏ）と判定された場合、処理を終了する。一方で、２回連続して第１閾値レベル以上である（ＳＥ５：Ｙｅｓ）と判定された場合、第４実施形態と同様の処理により求められた当該照度検出レベルの検出時刻を記憶させて（ＳＥ６）、処理を終了する。具体的に、制御回路２００は、ＳＥ５での検出結果に基づく検出時刻が、すでに記憶部３００に記憶されている場合には、当該検出時刻の検出回数を１増やす。一方、当該検出時刻が、記憶部３００に記憶されていない場合には、当該検出時刻を新たに記憶させるとともに、検出回数が１回である旨を記憶させる。
さらに、制御回路２００は、検出回数が多い順にデータを並び替えて、検出時刻を定時受信時刻として設定する優先順位を設定する。具体的に、制御回路２００は、図１７に示すように、まず、検出回数が多い順にデータを並べ、この並べた順序で優先順位を設定する。
ここで、図１７に示す優先順位は、値が小さいほど優先順位が高いことを表すものである。
なお、第５実施形態では、時間帯および検出時刻が１５分間隔で設定されているため、１分間隔で設定されている第４実施形態の構成と比べて、定時受信時刻の管理数をより少なくできるとともに、ユーザが定時受信時刻をより把握しやすくなる。また、記憶部３００の記憶容量を小さくできる。
【０１５２】
また、第１受信制御部２１０は、図１５に示すように、ＳＤ１１〜ＳＤ１９の衛星信号の受信処理を行う。本実施形態では、制御回路２００は、記憶部３００に記憶された過去の検出結果に基づいて、検出回数が最も多い検出時刻を、ＳＤ１６での判断基準となる定時受信時刻として設定する。
【０１５３】
また、第１受信制御部２１０は、ＳＤ１９における定時受信時刻の変更処理として、定時受信時刻として設定されていた検出時刻以外の検出時刻のうち、最も優先順位が高い（最も検出回数が多い）検出時刻を定時受信時刻として設定する。ここで、上述したように、制御回路２００は、衛星信号の受信処理と並行して、照度検出レベルの記憶処理を行っているため、最新のデータに基づいて、定時受信時刻を変更する。
【０１５４】
また、第５実施形態では、第２受信制御部２２０が受信処理を行う場合も、制御回路２００は、記憶部３００に記憶された過去の検出結果に基づいて、検出回数が最も多い検出時刻を、定時受信時刻として設定する。
そして、本実施形態でも、第２受信制御部２２０は、定時受信に失敗した場合には、定時受信時刻として設定されていた検出時刻以外の検出時刻のうち、最も優先順位が高い検出時刻を定時受信時刻として設定し、定時受信に成功した場合には、定時受信時刻を変更しない。
【０１５５】
このような第５実施形態によれば、前記第１，第４実施形態で得られる作用効果の他に、以下の作用効果が得られる。
制御回路２００は、照度検出レベルが２回連続して第１閾値レベル以上の場合に、当該検出レベルの検出時刻を定時受信時刻として設定する。
このため、過去において照度検出レベルが第１閾値レベル以上であった時刻を選んで受信を行うことで、受信の成功確率を高めることができる。また、ユーザが屋外にいることを検出できるような値に第１閾値レベルを設定することで、ユーザが屋外にいるタイミングで定時受信を行うことができる。
【０１５６】
制御回路２００は、照度検出レベルが２回連続して第１閾値レベル以上の場合には、当該照度検出レベルの検出時刻とともに、検出回数を合わせて記憶させる。そして、制御回路２００は、検出回数が最も多い検出時刻を定時受信時刻として設定する。
このため、過去における照度検出レベルが第１閾値レベル以上の時刻が複数存在する場合でも、検出回数が最も多い時刻に定時受信を行うことで、ユーザが屋外にいる可能性が高いタイミングで受信を行うことができ、受信の成功確率を高めることができる。
【０１５７】
［第６実施形態］
次に、本発明の第６実施形態を図面に基づいて説明する。
なお、本実施形態の電子機器の構造、第１受信制御部および第２受信制御部での衛星信号の受信処理は、前記第１実施形態と同様であるから、その詳細な説明は省略または簡略化する。
【０１５８】
図１８は、第６実施形態における切り替え部による切り替え処理を示すフローチャートである。
本実施形態では、前記第１実施形態に対して、
（ｉ）切り替え部２３０による切り替え処理が、衛星信号の受信履歴に基づいて、自動的に行われる点、
が異なる。
【０１５９】
また、本実施形態では、制御回路２００は、第１受信制御部２１０および第２受信制御部２２０によって受信処理が行われると、受信処理の種別（光自動受信、定時受信）と、受信に成功したか否かを示す受信結果とを、受信履歴として記憶部３００に格納する。このため、記憶部３００には、受信処理が行われる度に、受信履歴が追加される。また、制御回路２００は、記憶部３００に格納した受信履歴を、格納してから１か月が経過した時点で、記憶部３００から削除する。すなわち、記憶部３００には、直近１か月間の受信履歴が格納されている。
【０１６０】
図１８に示すように、切り替え部２３０は、まず、記憶部３００に記憶されている受信履歴を参照し、光自動受信の成功率が、第３閾値以上か否かを判定する（ＳＦ３１）。第３閾値は、成功率が比較的高いと判断できる下限値（例えば、８０％）に設定されている。
【０１６１】
ＳＦ３１でＹＥＳと判定された場合、切り替え部２３０は、受信履歴を参照し、光自動受信の頻度が、第４閾値以上か否かを判定する（ＳＦ３２）。第４閾値は、頻度が比較的高いと判断できる下限値（例えば、１日平均０．８回）に設定されている。
【０１６２】
一方、ＳＦ３１でＮＯと判定された場合、または、ＳＦ３２でＮＯと判定された場合は、切り替え部２３０は、受信履歴を参照し、定時受信の成功率が、第５閾値以下か否かを判定する（ＳＦ３３）。第５閾値は、成功率が比較的に低いと判断できる上限値（例えば、２０％）に設定されている。
【０１６３】
ＳＦ３１でＹＥＳと判定された場合は、第１受信制御部２１０が作動した場合に、光自動受信に成功する可能性が高く、無駄に電力が消費される可能性は低いと予想できる。また、ＳＦ３２でＹＥＳと判定された場合は、第１受信制御部２１０が作動した場合に、所定時間（２４時間）内に光自動受信が行われる可能性が高く、受信間隔の平均値が定時受信時刻の間隔よりも長くなる可能性は低いと予想できる。
このため、ＳＦ３１でＹＥＳと判定され、さらに、ＳＦ３２でＹＥＳと判定された場合は、切り替え部２３０は、第１受信制御部２１０を作動させるため、処理をＳ３４に進める。
また、ＳＦ３１でＮＯと判定された場合、または、ＳＦ３２でＮＯと判定された場合であっても、ＳＦ３３でＹＥＳと判定され、定時受信に成功する可能性が低いと予想できる場合は、第２受信制御部２２０が作動しても、受信に成功する可能性は低いと予想できる。このため、切り替え部２３０は、第１受信制御部２１０を作動させるため、処理をＳ３４に進める。
【０１６４】
ＳＦ３４では、切り替え部２３０は、第２受信制御部２２０が作動中か否かを判定する。ＳＦ３４でＹＥＳと判定された場合、切り替え部２３０は、第２受信制御部２２０の動作を停止する（ＳＦ３５）。
ＳＦ３５の処理の後、または、ＳＦ３４でＮＯと判定された場合、切り替え部２３０は、第１受信制御部２１０を作動させる（ＳＦ３６）。そして、切り替え部２３０は、処理をＳＦ３１に戻す。
【０１６５】
一方、ＳＦ３１でＮＯと判定された場合、または、ＳＦ３２でＮＯと判定された場合であって、ＳＦ３３でＮＯと判定された場合は、第２受信制御部２２０を作動させるための処理を行う。
すなわち、切り替え部２３０は、第１受信制御部２１０が作動中か否かを判定する（ＳＦ３７）。ＳＦ３７でＹＥＳと判定された場合、切り替え部２３０は、第１受信制御部２１０の動作を停止する（ＳＦ３８）。
そして、ＳＦ３８の処理の後、または、ＳＦ３７でＮＯと判定された場合、切り替え部２３０は、第２受信制御部２２０を作動させる（ＳＦ３９）。そして、切り替え部２３０は、処理をＳＦ３１に戻す。
【０１６６】
なお、本実施形態の切り替え処理に加えて、第１実施形態で示したような、入力装置６０に対する入力操作に基づいた切り替え処理を行ってもよい。
【０１６７】
このような第６実施形態によれば、前記第１実施形態で得られる作用効果の他に、以下の作用効果が得られる。
切り替え部２３０は、受信履歴を参照し、光自動受信の成功率が第３閾値以上と判定され、かつ、光自動受信の頻度が第４閾値以上と判定された場合は、第１受信制御部２１０を作動させ、その他の場合は、定時受信の成功率が第５閾値未満の場合を除いて、第２受信制御部２２０を作動させる。このため、第１受信制御部２１０および第２受信制御部２２０を適切なタイミング切り替えて作動させることができる。また、ユーザが入力装置６０を操作することなく、自動的に、第１受信制御部２１０および第２受信制御部２２０を切り替えて作動させることができるため、使いやすさを向上できる。
【０１６８】
［他の実施形態］
なお、本発明は前記実施形態の構成に限定されず、本発明の要旨の範囲内で種々の変形実施が可能である。
例えば、第１〜第３実施形態において、図１９に示すような関係に基づいて、定時受信時刻を設定してもよい（第１変形例）。
具体的に、第１受信制御部２１０および第２受信制御部２２０は、過去の光自動受信あるいは強制受信が成功した時刻を、成功した順序に関連付けて記憶部３００に記憶させる。ここでは、最大で１０個の受信成功時刻を記憶させる場合を例示するが、最大数は１０個に限られない。また、図１９に示す例では、成功順序が「１」の受信成功時刻が１番目に新しい時刻であり、「１０」が１０番目に新しい時刻である。そして、第１受信制御部２１０および第２受信制御部２２０は、まず、１番目に新しい「６時１０分００秒」を定時受信時刻に設定し、当該時刻で定時受信が成功した場合には、次回も同じ時刻に定時受信を開始し、失敗した場合には、２番目に新しい「６時１５分００秒」を次回の定時受信時刻として設定してもよい。
【０１６９】
また、第１〜第３実施形態において、図２０に示すような関係に基づいて、定時受信時刻を設定してもよい（第２変形例）。
具体的に、第１受信制御部２１０および第２受信制御部２２０は、過去の各時間帯における光自動受信あるいは強制受信を実施した回数と、受信が成功した回数とを記憶部３００に記憶させる。そして、第１受信制御部２１０および第２受信制御部２２０は、まず、１番目に受信成功回数が多い「６時００分００秒」を定時受信時刻に設定し、当該時刻で定時受信が成功した場合には、次回も同じ時刻に定時受信を開始し、失敗した場合には、２番目に受信成功回数が多い「８時００分００秒」を次回の定時受信時刻として設定してもよい。
このような構成にすれば、過去における成功回数が最も多い時刻に受信を失敗しても、次回の受信を次に成功回数が多い時刻に行うため、生活パターンが変わった場合でも、次回の受信の成功確率を高めることができる。
なお、受信成功回数ではなく、成功率（受信成功回数÷受信回数）あるいは失敗率に基づく順序で定時受信時刻を設定してもよい。
【０１７０】
さらに、第１〜第６実施形態や第１，第２変形例において、図２１に示すような関係をさらに考慮に入れて、定時受信を行ってもよい（第３変形例）。
具体的に、第１受信制御部２１０および第２受信制御部２２０は、過去の各曜日における光自動受信あるいは強制受信が成功した回数を記憶部３００に記憶させる。そして、まず、１番目に成功回数が多い「月曜日」のみ定時受信を行い、当該曜日に定時受信が成功した場合には、次回も同じ曜日のみ定時受信を行い、失敗した場合には、２番目に成功回数が多い「金曜日」のみ次回の定時受信を行ってもよい。
【０１７１】
また、第１〜第６実施形態や第１〜第３変形例において、第１受信制御部２１０による衛星信号の受信処理が１回失敗した場合には、例えば、１分、１０分、３０分などの所定時間経過後に受信処理を行い、所定回数失敗したら受信処理を終了してもよい。
さらに、第４，第５実施形態や第１〜第３変形例において、記憶部３００に記憶された複数の時刻の中から、ユーザにより選択された時刻を定時受信時刻として設定してもよい。
また、第４，第５実施形態や第１〜第３変形例において、制御回路２００は、定時受信が失敗した場合には、当該定時受信時刻を、次回以降の定時受信時刻の設定対象から外してもよい。
このような構成にすれば、例えば、生活パターンが変わったなどの理由により、以前に受信が成功した時刻にユーザが屋内で生活することになったとしても、受信が失敗した時刻を受信時刻の設定対象から外すことにより、受信が失敗する確率を減らすことができる。
さらに、照度検出レベルに基づいて、衛星信号の受信処理を開始したが、環境検出回路として湿度や気温あるいは気圧を検出する構成を用い、湿度や気温あるいは気圧が所定値以上となった場合に、屋外等の衛星信号を受信するのに適した環境に配置されていると判断して、衛星信号の受信処理を開始してもよい。例えば、登山に利用する電波受信装置であれば、高地での気圧が低地と大きく異なるため、有効である。
また、光が照射される量を検出するために、ソーラーセル１３５に替えて、紫外線センサ等の光センサを用いることもできる。
【０１７２】
さらに、第２実施形態において、光自動受信での成功時刻と強制受信での成功時刻との両方を記憶部３００に記憶させ、最新の成功時刻を定時受信時刻として設定してもよい。
このような構成にすれば、最新のユーザの生活パターンに基づいて定時受信を行うことができる。さらには、第１，第２，第４，第５実施形態の定時受信時刻の設定方法を必要に応じて組み合わせ、所定の条件に基づいて第１，第２，第４，第５実施形態のいずれかの時刻を定時受信時刻として設定してもよい。
【０１７３】
さらに、第４，５実施形態において、衛星信号の受信処理が失敗した場合であっても、定時受信時刻を変更しなくてもよい。
また、第１〜第６実施形態において、予め設定された時間帯の特定時刻を検出時刻として記憶部３００に記憶させたが、受信の成功時刻や照度の検出時刻をそのまま記憶させてもよい。
【０１７４】
また、第５実施形態において、第１閾値レベルと第２閾値レベルとを同じレベルに設定せずに、第１閾値レベルを第２閾値レベルよりも高くしてもよいし、低くしてもよい。
例えば、第１閾値レベルを第２閾値レベルよりも高くした場合、以下の効果を期待できる。すなわち、例えば、第１閾値レベルを晴天の昼間に対応するレベル（以下、高照度レベルという）まで高くすることで、ユーザが確実に屋外にいた時刻を定時受信時刻として設定できる。
そして、第２閾値レベルを第１閾値レベルと同じ高照度レベルに設定すると、定時受信時刻にユーザが屋外にいたとしても、曇天や雨天あるいは電子機器１００が袖に隠れるなどして、高照度レベルの照度を検出できない場合には、照度検出レベルが第２閾値レベル以上とならないため、受信処理を開始することができない。
これに対して、第２閾値レベルを第１閾値レベルよりも低く設定すれば、定時受信時刻にユーザが屋外にいれば、曇天や雨天あるいは電子機器１００が袖に隠れるなどしても、照度検出レベルが第２閾値レベル以上となるため受信処理を開始することができる。
したがって、ユーザが確実に屋外にいた時刻における受信機会を増やすことができ、衛星信号を高い成功確率でかつ高頻度で受信できる。
【０１７５】
前記実施形態では、照度検出回路でソーラーセル１３５に入射する光の照度が高くなるほど高い値となる検出値を検出しているが、前記検出値はソーラーセル１３５に入射する光の照度が高くなるほど高い値となるものに限定されない。すなわち、前記検出値はソーラーセル１３５に入射する光の照度が高くなるほど低い値となるものであってもよい。なお、検出値がソーラーセル１３５に入射する光の照度が高くなるほど低い値となる場合としては、例えば、ソーラーセル１３５に入射する光の照度が高くなるほど、開放電圧が低くなるようなデバイスを用いる場合が挙げられる。
【０１７６】
前記実施形態では、第１受信制御部２１０は、電子機器１００が衛星信号を受信するのに適した環境にないと判断した状態が所定時間以上の間継続した場合は、定時受信時刻に衛星信号の受信処理を実行するが、定時受信時刻に受信処理を実行しなくてもよい。
【０１７７】
本発明の電波受信装置を備える電子機器１００は、腕時計（電子時計）に限定されず、例えば、携帯電話、登山等に用いられる携帯型のＧＰＳ受信機等、二次電池で駆動されて位置情報衛星から送信される衛星信号を受信する装置に広く利用できる。
さらに、本発明では、ソーラーセル１３５、二次電池１３０、充電制御用スイッチ４２、電圧検出回路４４を備えることで、ソーラーセル１３５に照射された光の照度を高精度に検出することができる。これらの構成による照度の検出機構は、衛星信号を受信する電子機器のみに利用されるものではなく、他の機器にも適用できる。特に、照度の検出によって、何らかの装置を起動する機器に適している。例えば、照度に応じて、照明をオン・オフしたり、照明の光量を変化させる機器や、照度に応じて受信を開始する長波の電波修正時計等に応用できる。また、本発明の電波受信装置をソーラーセル１３５を照度検出のみに用いる電子機器に適用してもよい。
【符号の説明】
【０１７８】
１００…電子機器、１３５…ソーラーセル、１３０…二次電池、１２１…ＧＰＳ受信回路、２００…制御回路、２１０…第１受信制御部、２２０…第２受信制御部、２３０…切り替え部、４３…充電状態検出回路（環境検出回路、照度検出回路）、４４…電圧検出回路（環境検出回路、照度検出回路）、３００…記憶部、６０…入力装置。
【図１】
2015210117.tif 000003
【図２】
2015210117.tif 000004
【図３】
2015210117.tif 000005
【図４】
2015210117.tif 000006
【図５】
2015210117.tif 000007
【図６】
2015210117.tif 000008
【図７】
2015210117.tif 000009
【図８】
2015210117.tif 000010
【図９】
2015210117.tif 000011
【図１０】
2015210117.tif 000012
【図１１】
2015210117.tif 000013
【図１２】
2015210117.tif 000014
【図１３】
2015210117.tif 000015
【図１４】
2015210117.tif 000016
【図１５】
2015210117.tif 000017
【図１６】
2015210117.tif 000018
【図１７】
2015210117.tif 000019
【図１８】
2015210117.tif 000020
【図１９】
2015210117.tif 000021
【図２０】
2015210117.tif 000022
【図２１】
2015210117.tif 000023